(57)【要約】  回路規模を増大させることなく、パネル検査の際に通常時に動作するサンプリングスイッチの不良をも検出することができる表示パネルを実現することを目的とする。  ソースバスラインの一端側には、映像信号をサンプリングするサンプリングスイッチを含む１入力３出力のデマルチプレクサが設けられ、ソースバスラインの他端側には、サンプリングスイッチに対応して設けられた検査用スイッチを含みテスト用映像信号（Ｔ＿ＶＩＤＥＯ）を入力信号とする１入力３出力のデマルチプレクサが設けられる。サンプリングスイッチおよび検査用スイッチの状態を制御する３個の制御信号（ＡＳＷ１〜ＡＳＷ３）のうちの任意の制御信号を着目制御信号としたとき、着目制御信号によってオン状態にされるサンプリングスイッチに接続されたソースバスラインと着目制御信号によってオン状態にされる検査用スイッチに接続されたソースバスラインとは異なっている。
2011089762.tif 000002
【特許請求の範囲】
【請求項１】
表示パネルであって、
ｎ本毎（ｎは２以上の自然数）に１組の映像信号線群を構成する複数本の映像信号線が配設された表示部と、
前記複数本の映像信号線の一端側に前記１組の映像信号線群毎に設けられ、外部から送られる第１の映像信号を前記映像信号線群に含まれるｎ本の映像信号線のそれぞれに印加するか否かを切り替えるためのｎ個の第１スイッチからなる第１のデマルチプレクサと、
前記複数本の映像信号線の他端側に前記１組の映像信号線群毎に設けられ、外部から送られる第２の映像信号を前記映像信号線群に含まれるｎ本の映像信号線のそれぞれに印加するか否かを切り替えるためのｎ個の第２スイッチからなる第２のデマルチプレクサと、
前記複数本の映像信号線への前記第２の映像信号の印加を可能とするか否かを切り替える動作制御部と
を備え、
前記第１のデマルチプレクサに含まれる前記ｎ個の第１スイッチの状態は、互いに異なるｎ個の制御信号によって制御され、
前記第２のデマルチプレクサに含まれる前記ｎ個の第２スイッチの状態は、互いに異なる前記ｎ個の制御信号によって制御され、
前記ｎ個の制御信号のうちの任意の制御信号を着目制御信号としたとき、各映像信号線群について、前記着目制御信号によってオン状態にされる第１スイッチに接続された映像信号線と前記着目制御信号によってオン状態にされる第２スイッチに接続された映像信号線とは異なることを特徴とする、表示パネル。
【請求項２】
前記動作制御部は、前記第２のデマルチプレクサに含まれる前記ｎ個の第２スイッチのそれぞれに対応して設けられるｎ個の制御スイッチからなり、
各制御スイッチは、外部から与えられる切替制御信号に基づいて、前記第２スイッチに前記制御信号を与えるか否かを制御することを特徴とする、請求項１に記載の表示パネル。
【請求項３】
前記動作制御部は、前記第２のデマルチプレクサの出力部と前記表示部との間に前記複数本の映像信号線のそれぞれに対応して設けられる複数個の制御スイッチからなり、
各制御スイッチは、外部から与えられる切替制御信号に基づいて、前記第２のデマルチプレクサの出力部から前記複数本の映像信号線への前記第２の映像信号の印加を可能とするか否かを切り替えることを特徴とする、請求項１に記載の表示パネル。
【請求項４】
前記動作制御部は、前記第２のデマルチプレクサの入力部近傍に前記複数本の映像信号線のそれぞれに対応して設けられる複数個の制御スイッチからなり、
各制御スイッチは、外部から与えられる切替制御信号に基づいて、前記第２の映像信号を前記第２のデマルチプレクサの入力部に与えるか否かを切り替えることを特徴とする、請求項１に記載の表示パネル。
【請求項５】
前記第２の映像信号は、前記複数本の映像信号線の他端側に設けられている全ての第２のデマルチプレクサの入力部に共通的に与えられていることを特徴とする、請求項１に記載の表示パネル。
【請求項６】
前記第１のデマルチプレクサに含まれる前記ｎ個の第１スイッチおよび前記第２のデマルチプレクサに含まれる前記ｎ個の第２スイッチは、薄膜トランジスタであることを特徴とする、請求項１に記載の表示パネル。
【請求項７】
請求項１に記載の表示パネルを備えた表示モジュールであって、
前記第１のデマルチプレクサに前記第１の映像信号を与える映像信号線駆動回路が前記表示パネルに実装されていることを特徴とする、表示モジュール。
【請求項８】
ｎ本毎（ｎは２以上の自然数）に１組の映像信号線群を構成する複数本の映像信号線が配設された表示部と、前記複数本の映像信号線の一端側に前記１組の映像信号線群毎に設けられ、外部から送られる第１の映像信号を前記映像信号線群に含まれるｎ本の映像信号線のそれぞれに印加するか否かを切り替えるためのｎ個の第１スイッチからなる第１のデマルチプレクサと、前記複数本の映像信号線の他端側に前記１組の映像信号線群毎に設けられ、外部から送られる第２の映像信号を前記映像信号線群に含まれるｎ本の映像信号線のそれぞれに印加するか否かを切り替えるためのｎ個の第２スイッチからなる第２のデマルチプレクサと、前記複数本の映像信号線への前記第２の映像信号の印加を可能とするか否かを切り替える動作制御部と、外部から送られるｎ個の制御信号を受け取るための制御信号入力部とを備えた表示パネルの検査方法であって、
前記動作制御部が前記複数本の映像信号線への前記第２の映像信号の印加を可能とする検査準備ステップと、
前記第２の映像信号の信号レベルが所定の第１レベルになっているときに、各映像信号線群に対応して設けられている前記第１のデマルチプレクサに含まれる前記ｎ個の第１スイッチのうちの１つおよび各映像信号線群に対応して設けられている前記第２のデマルチプレクサに含まれる前記ｎ個の第２スイッチのうちの１つが所定期間オン状態で維持されるように前記ｎ個の制御信号のうちの１つの信号レベルを変化させる第１レベル印加ステップと、
前記第２の映像信号の信号レベルが前記第１レベルとは異なる第２レベルになっているときに、各映像信号線群に対応して設けられている前記第１のデマルチプレクサに含まれる前記ｎ個の第１スイッチのうちの１つおよび各映像信号線群に対応して設けられている前記第２のデマルチプレクサに含まれる前記ｎ個の第２スイッチのうちの１つが所定期間オン状態で維持されるように前記ｎ個の制御信号のうちの１つの信号レベルを変化させる第２レベル印加ステップと
を含み、
前記ｎ個の制御信号のうちの任意の制御信号を着目制御信号としたとき、各映像信号線群について、前記着目制御信号によってオン状態にされる第１スイッチに接続された映像信号線と前記着目制御信号によってオン状態にされる第２スイッチに接続された映像信号線とは異なり、
検査対象の表示色に対応する映像信号線には前記第１レベルの前記第２の映像信号が印加されるよう前記第１レベル印加ステップが行われ、
検査対象以外の表示色に対応する映像信号線には前記第２レベルの前記第２の映像信号が印加されるよう前記第２レベル印加ステップが行われることを特徴とする、検査方法。
【請求項９】
ｎ本毎（ｎは２以上の自然数）に１組の映像信号線群を構成する複数本の映像信号線が配設された表示部と、前記複数本の映像信号線の一端側に前記１組の映像信号線群毎に設けられ、外部から送られる第１の映像信号を前記映像信号線群に含まれるｎ本の映像信号線のそれぞれに印加するか否かを切り替えるためのｎ個の第１スイッチからなる第１のデマルチプレクサと、前記複数本の映像信号線の他端側に前記１組の映像信号線群毎に設けられ、外部から送られる第２の映像信号を前記映像信号線群に含まれるｎ本の映像信号線のそれぞれに印加するか否かを切り替えるためのｎ個の第２スイッチからなる第２のデマルチプレクサと、前記複数本の映像信号線への前記第２の映像信号の印加を可能とするか否かを切り替える動作制御部と、外部から送られるｎ個の制御信号を受け取るための制御信号入力部とを備えた表示パネルの検査方法であって、
前記動作制御部が前記複数本の映像信号線への前記第２の映像信号の印加を可能とする検査準備ステップと、
前記第２の映像信号の信号レベルが所定の第１レベルになっているときに、各映像信号線群に対応して設けられている前記第１のデマルチプレクサに含まれる前記ｎ個の第１スイッチのうちのｍ個（ｍはｎ未満の自然数）および各映像信号線群に対応して設けられている前記第２のデマルチプレクサに含まれる前記ｎ個の第２スイッチのうちのｍ個が所定期間オン状態で維持されるように前記ｎ個の制御信号のうちのｍ個の信号レベルを変化させるｍライン書き込みステップと
を含み、
前記ｎ個の制御信号のうちの任意の制御信号を着目制御信号としたとき、各映像信号線群について、前記着目制御信号によってオン状態にされる第１スイッチに接続された映像信号線と前記着目制御信号によってオン状態にされる第２スイッチに接続された映像信号線とは異なることを特徴とする、検査方法。
【発明の詳細な説明】
【技術分野】
【０００１】
本発明は、表示パネルに関し、詳しくは、複数の映像信号線に映像信号を分配するためのデマルチプレクサを備えた表示パネルおよびその検査方法に関する。
【背景技術】
【０００２】
従来より、液晶モジュールは、アレイ製造工程やパネル製造工程などを経た後、モジュール製造工程で液晶パネルにドライバＩＣ（駆動用集積回路）が実装されることによって作製される。一般的に、ドライバＩＣの実装が行われる前には、液晶パネルの欠陥の有無を調べる検査（以下、「パネル検査」という。）が行われる。このため、液晶パネルを構成する基板上に予め検査用回路が形成されることがある。図３１は、そのような検査用回路を備えた液晶パネルにドライバＩＣが実装された液晶モジュールの要部の構成を示すブロック図である。この液晶モジュールは、ソースバスラインＳＬやゲートバスライン（不図示）が配設され画像を表示する領域となる画素回路部９０と、ソースバスラインＳＬを駆動するドライバＩＣであるソースドライバ９４と、ソースドライバ９４から送られる映像信号を複数のソースバスラインＳＬに切り替えつつ出力する第１の分配回路９１と、外部から送られるテスト用映像信号を複数のソースバスラインＳＬに切り替えつつ出力する第２の分配回路９２と、ソースバスラインＳＬへの映像信号の出力元を第１の分配回路９１と第２の分配回路９２との間で切り替える切替回路９３とによって構成されている。これらの構成要素は、液晶パネルを構成する２枚のガラス基板のうちの一方のガラス基板（一般に「アレイ基板」と呼ばれている）上に形成されている。このような構成において、第２の分配回路９２が検査用回路として機能している。なお、パネル検査が行われる時点においては、ソースドライバ９４は未だガラス基板上には実装されていない。【０００３】
図３２は、第１の分配回路９１，第２の分配回路９２，および切替回路９３の構成を示す回路図である。なお、図３２には、複数本のソースバスラインのうちの６本のソースバスラインＳＬ１〜ＳＬ６のみを示している。第１の分配回路９１には、赤色用，緑色用，および青色用の３本のソースバスライン毎に１入力３出力のデマルチプレクサが設けられている。１入力３出力であるので、各デマルチプレクサには３個のスイッチ（例えば薄膜トランジスタ）が含まれている。同様に、第２の分配回路９２にも、赤色用，緑色用，および青色用の３本のソースバスライン毎に１入力３出力のデマルチプレクサが設けられており、各デマルチプレクサには３個のスイッチ（例えば薄膜トランジスタ）が含まれている。第１の分配回路９１は、複数個のデマルチプレクサにそれぞれ異なる映像信号が与えられるように構成されている。但し、パネル検査が行われる時点においては、ソースドライバ９４が実装されていないので、第１の分配回路９１に外部から映像信号が与えられることはない。一方、第２の分配回路９２は、複数個のデマルチプレクサに共通の（１つの）テスト用映像信号Ｔ＿ＶＩＤＥＯが入力信号として与えられるように構成されている。なお、以下においては、第１の分配回路９１内のデマルチプレクサを構成するスイッチのことを「サンプリングスイッチ」といい、第２の分配回路９２内のデマルチプレクサを構成するスイッチのことを「検査用スイッチ」という。【０００４】
切替回路９３には、３つのスイッチからなる第１のスイッチ群９３１，３つのスイッチからなる第２のスイッチ群９３２，およびインバータ９３３が含まれている。第１のスイッチ群９３１に含まれるスイッチのオン／オフ状態は外部から与えられる制御信号Ｔ＿ＳＭＰによって制御され、第２のスイッチ群９３２に含まれるスイッチのオン／オフ状態は制御信号Ｔ＿ＳＭＰの論理反転信号によって制御される。このような構成において、パネル検査が行われる時（以下、「検査時」という。）と液晶モジュールの状態となって通常の動作が行われる時（以下、「通常時」という。）とで、制御信号Ｔ＿ＳＭＰの論理レベルが切り替えられる。これにより、検査時と通常時とで、第１のスイッチ群９３１に含まれるスイッチのオン／オフ状態および第２のスイッチ群９３２に含まれるスイッチのオン／オフ状態が切り替えられる。なお、以下においては、制御信号Ｔ＿ＳＭＰのことを「切替制御信号」ともいう。【０００５】
また、図３２に示す回路には外部から制御信号ＡＳＷ１〜３が与えられる。第１のスイッチ群９３１に含まれるスイッチがオン状態の時には、制御信号ＡＳＷ１は制御信号Ｔ＿ＡＳＷ１として第２の分配回路９２に与えられ、制御信号ＡＳＷ２は制御信号Ｔ＿ＡＳＷ２として第２の分配回路９２に与えられ、制御信号ＡＳＷ３は制御信号Ｔ＿ＡＳＷ３として第２の分配回路９２に与えられる。第２のスイッチ群９３２に含まれるスイッチがオン状態の時には、制御信号ＡＳＷ１は制御信号Ｕ＿ＡＳＷ１として第１の分配回路９１に与えられ、制御信号ＡＳＷ２は制御信号Ｕ＿ＡＳＷ２として第１の分配回路９１に与えられ、制御信号ＡＳＷ３は制御信号Ｕ＿ＡＳＷ３として第１の分配回路９１に与えられる。なお、以下においては、制御信号ＡＳＷ１〜３のことを「分配制御信号」ともいい、制御信号Ｕ＿ＡＳＷ１〜３のことを「通常時用分配制御信号」ともいい、制御信号Ｔ＿ＡＳＷ１〜３のことを「検査時用分配制御信号」ともいう。【０００６】
以上のような構成において、検査時には、切替制御信号Ｔ＿ＳＭＰに基づき、第１のスイッチ群９３１に含まれるスイッチはオン状態にされ、第２のスイッチ群９３２に含まれるスイッチはオフ状態にされる。その結果、分配制御信号ＡＳＷ１〜ＡＳＷ３のそれぞれの論理レベルに応じて、第２の分配回路９２内の検査用スイッチがオン状態またはオフ状態となる。このようにして第２の分配回路９２内の検査用スイッチのオン／オフ状態を変化させつつテスト用映像信号Ｔ＿ＶＩＤＥＯの電位を変化させることによって、液晶パネルの検査が行われる。【０００７】
これに対して、通常時には、切替制制御信号Ｔ＿ＳＭＰに基づき、第１のスイッチ群９３１に含まれるスイッチはオフ状態にされ、第２のスイッチ群９３２に含まれるスイッチはオン状態にされる。その結果、分配制御信号ＡＳＷ１〜ＡＳＷ３のそれぞれの論理レベルに応じて、第１の分配回路９１内のサンプリングスイッチがオン状態またはオフ状態となる。このようにして第１の分配回路９１内のサンプリングスイッチのオン／オフ状態を変化させつつソースドライバ９４から第１の分配回路９１に映像信号を与えることによって、液晶パネル上で所望の画像表示が行われる。【０００８】
なお、パネル検査が行われる際には映像信号が第１の分配回路９１に与えられないことを考慮すると、ハイレベルにされる分配制御信号と通常時に書き込みが行われるソースバスラインと検査時に書き込みが行われるソースバスラインとの対応関係は、図３３に示すとおりとなっている。【０００９】
また、本件発明に関連して、以下の先行技術文献が知られている。日本の特開２００７−２０６４４０号公報には、データ線の一端側にデータ信号を分配するためのデマルチプレクサが設けられ、データ線の他端側にシフトレジスタを含む検査回路が設けられた構成の電気光学装置用基板についての発明が開示されている。
【先行技術文献】
【特許文献】
【００１０】
【特許文献１】日本の特開２００７−２０６４４０号公報
【発明の概要】
【発明が解決しようとする課題】
【００１１】
ところが、日本の特開２００７−２０６４４０号公報に開示された構成によると、検査回路内にシフトレジスタが含まれているため、回路面積が比較的大きくなっている。このため、パネルの狭額縁化が困難である。また、検査制御回路が読出線の電圧に基づいて動作するようになっているので、読出線の電圧を測定する装置が必要となる。【００１２】
また、図３２に示した構成によれば、パネル検査が行われている期間を通じて、第２のスイッチ群９３２に含まれるスイッチはオフ状態で維持される。このため、第１の分配回路９１内のサンプリングスイッチは、パネル検査が行われている期間にはオフ状態で維持される。従って、パネル検査の際には、サンプリングスイッチの不良を検出することができない。【００１３】
そこで本発明は、回路規模を増大させることなく、パネル検査の際に通常時に動作するサンプリングスイッチの不良をも検出することができる表示パネルを実現することを目的とする。
【課題を解決するための手段】
【００１４】
本発明の第１の局面は、
表示パネルであって、
ｎ本毎（ｎは２以上の自然数）に１組の映像信号線群を構成する複数本の映像信号線が配設された表示部と、
前記複数本の映像信号線の一端側に前記１組の映像信号線群毎に設けられ、外部から送られる第１の映像信号を前記映像信号線群に含まれるｎ本の映像信号線のそれぞれに印加するか否かを切り替えるためのｎ個の第１スイッチからなる第１のデマルチプレクサと、
前記複数本の映像信号線の他端側に前記１組の映像信号線群毎に設けられ、外部から送られる第２の映像信号を前記映像信号線群に含まれるｎ本の映像信号線のそれぞれに印加するか否かを切り替えるためのｎ個の第２スイッチからなる第２のデマルチプレクサと、
前記複数本の映像信号線への前記第２の映像信号の印加を可能とするか否かを切り替える動作制御部と
を備え、
前記第１のデマルチプレクサに含まれる前記ｎ個の第１スイッチの状態は、互いに異なるｎ個の制御信号によって制御され、
前記第２のデマルチプレクサに含まれる前記ｎ個の第２スイッチの状態は、互いに異なる前記ｎ個の制御信号によって制御され、
前記ｎ個の制御信号のうちの任意の制御信号を着目制御信号としたとき、各映像信号線群について、前記着目制御信号によってオン状態にされる第１スイッチに接続された映像信号線と前記着目制御信号によってオン状態にされる第２スイッチに接続された映像信号線とは異なることを特徴とする。【００１５】
本発明の第２の局面は、本発明の第１の局面において、
前記動作制御部は、前記第２のデマルチプレクサに含まれる前記ｎ個の第２スイッチのそれぞれに対応して設けられるｎ個の制御スイッチからなり、
各制御スイッチは、外部から与えられる切替制御信号に基づいて、前記第２スイッチに前記制御信号を与えるか否かを制御することを特徴とする。【００１６】
本発明の第３の局面は、本発明の第１の局面において、
前記動作制御部は、前記第２のデマルチプレクサの出力部と前記表示部との間に前記複数本の映像信号線のそれぞれに対応して設けられる複数個の制御スイッチからなり、
各制御スイッチは、外部から与えられる切替制御信号に基づいて、前記第２のデマルチプレクサの出力部から前記複数本の映像信号線への前記第２の映像信号の印加を可能とするか否かを切り替えることを特徴とする。【００１７】
本発明の第４の局面は、本発明の第１の局面において、
前記動作制御部は、前記第２のデマルチプレクサの入力部近傍に前記複数本の映像信号線のそれぞれに対応して設けられる複数個の制御スイッチからなり、
各制御スイッチは、外部から与えられる切替制御信号に基づいて、前記第２の映像信号を前記第２のデマルチプレクサの入力部に与えるか否かを切り替えることを特徴とする。【００１８】
本発明の第５の局面は、本発明の第１の局面において、
前記第２の映像信号は、前記複数本の映像信号線の他端側に設けられている全ての第２のデマルチプレクサの入力部に共通的に与えられていることを特徴とする。【００１９】
本発明の第６の局面は、本発明の第１の局面において、
前記第１のデマルチプレクサに含まれる前記ｎ個の第１スイッチおよび前記第２のデマルチプレクサに含まれる前記ｎ個の第２スイッチは、薄膜トランジスタであることを特徴とする。【００２０】
本発明の第７の局面は、本発明の第１の局面に係る表示パネルを備えた表示モジュールであって、
前記第１のデマルチプレクサに前記第１の映像信号を与える映像信号線駆動回路が前記表示パネルに実装されていることを特徴とする。【００２１】
本発明の第８の局面は、ｎ本毎（ｎは２以上の自然数）に１組の映像信号線群を構成する複数本の映像信号線が配設された表示部と、前記複数本の映像信号線の一端側に前記１組の映像信号線群毎に設けられ、外部から送られる第１の映像信号を前記映像信号線群に含まれるｎ本の映像信号線のそれぞれに印加するか否かを切り替えるためのｎ個の第１スイッチからなる第１のデマルチプレクサと、前記複数本の映像信号線の他端側に前記１組の映像信号線群毎に設けられ、外部から送られる第２の映像信号を前記映像信号線群に含まれるｎ本の映像信号線のそれぞれに印加するか否かを切り替えるためのｎ個の第２スイッチからなる第２のデマルチプレクサと、前記複数本の映像信号線への前記第２の映像信号の印加を可能とするか否かを切り替える動作制御部と、外部から送られるｎ個の制御信号を受け取るための制御信号入力部とを備えた表示パネルの検査方法であって、
前記動作制御部が前記複数本の映像信号線への前記第２の映像信号の印加を可能とする検査準備ステップと、
前記第２の映像信号の信号レベルが所定の第１レベルになっているときに、各映像信号線群に対応して設けられている前記第１のデマルチプレクサに含まれる前記ｎ個の第１スイッチのうちの１つおよび各映像信号線群に対応して設けられている前記第２のデマルチプレクサに含まれる前記ｎ個の第２スイッチのうちの１つが所定期間オン状態で維持されるように前記ｎ個の制御信号のうちの１つの信号レベルを変化させる第１レベル印加ステップと、
前記第２の映像信号の信号レベルが前記第１レベルとは異なる第２レベルになっているときに、各映像信号線群に対応して設けられている前記第１のデマルチプレクサに含まれる前記ｎ個の第１スイッチのうちの１つおよび各映像信号線群に対応して設けられている前記第２のデマルチプレクサに含まれる前記ｎ個の第２スイッチのうちの１つが所定期間オン状態で維持されるように前記ｎ個の制御信号のうちの１つの信号レベルを変化させる第２レベル印加ステップと
を含み、
前記ｎ個の制御信号のうちの任意の制御信号を着目制御信号としたとき、各映像信号線群について、前記着目制御信号によってオン状態にされる第１スイッチに接続された映像信号線と前記着目制御信号によってオン状態にされる第２スイッチに接続された映像信号線とは異なり、
検査対象の表示色に対応する映像信号線には前記第１レベルの前記第２の映像信号が印加されるよう前記第１レベル印加ステップが行われ、
検査対象以外の表示色に対応する映像信号線には前記第２レベルの前記第２の映像信号が印加されるよう前記第２レベル印加ステップが行われることを特徴とする。【００２２】
本発明の第９の局面は、ｎ本毎（ｎは２以上の自然数）に１組の映像信号線群を構成する複数本の映像信号線が配設された表示部と、前記複数本の映像信号線の一端側に前記１組の映像信号線群毎に設けられ、外部から送られる第１の映像信号を前記映像信号線群に含まれるｎ本の映像信号線のそれぞれに印加するか否かを切り替えるためのｎ個の第１スイッチからなる第１のデマルチプレクサと、前記複数本の映像信号線の他端側に前記１組の映像信号線群毎に設けられ、外部から送られる第２の映像信号を前記映像信号線群に含まれるｎ本の映像信号線のそれぞれに印加するか否かを切り替えるためのｎ個の第２スイッチからなる第２のデマルチプレクサと、前記複数本の映像信号線への前記第２の映像信号の印加を可能とするか否かを切り替える動作制御部と、外部から送られるｎ個の制御信号を受け取るための制御信号入力部とを備えた表示パネルの検査方法であって、
前記動作制御部が前記複数本の映像信号線への前記第２の映像信号の印加を可能とする検査準備ステップと、
前記第２の映像信号の信号レベルが所定の第１レベルになっているときに、各映像信号線群に対応して設けられている前記第１のデマルチプレクサに含まれる前記ｎ個の第１スイッチのうちのｍ個（ｍはｎ未満の自然数）および各映像信号線群に対応して設けられている前記第２のデマルチプレクサに含まれる前記ｎ個の第２スイッチのうちのｍ個が所定期間オン状態で維持されるように前記ｎ個の制御信号のうちのｍ個の信号レベルを変化させるｍライン書き込みステップと
を含み、
前記ｎ個の制御信号のうちの任意の制御信号を着目制御信号としたとき、各映像信号線群について、前記着目制御信号によってオン状態にされる第１スイッチに接続された映像信号線と前記着目制御信号によってオン状態にされる第２スイッチに接続された映像信号線とは異なることを特徴とする。
【発明の効果】
【００２３】
本発明の第１の局面によれば、映像信号線の一端側に第１スイッチからなる第１のデマルチプレクサを備え、映像信号線の他端側に第２スイッチからなる第２のデマルチプレクサを備えた構成の表示パネルにおいて、それらデマルチプレクサを構成するスイッチの状態を制御するｎ個の制御信号のうちの任意の制御信号を着目制御信号としたとき、着目制御信号によってオン状態にされる第１スイッチに接続されている映像信号線と着目制御信号によってオン状態にされる第２スイッチに接続されている映像信号線とは異なっている。このため、ｎ個の制御信号のうちの１つ（上記着目制御信号とする）に基づいて各デマルチプレクサを構成するスイッチをオン状態にすると、第１のデマルチプレクサ内に開放不良の第１スイッチが存在すれば、当該開放不良の第１スイッチだけではなく着目制御信号によって制御される第１スイッチもがオン状態となる。これにより、１組の映像信号線群を構成するｎ本の映像信号線のうちの１本にのみ本来印加されるべき第２の映像信号の電圧が複数本の映像信号線に印加されることや１本の映像信号線に蓄積されている電荷が複数本の映像信号線に分配されることが生じる。従って、第１の映像信号が外部から与えられないようなパネル検査の際に、第１スイッチの開放不良を検出することができる。また、上記ｎ個の制御信号のうちの複数個の制御信号に基づいて各デマルチプレクサを構成するスイッチをオン状態にすると、第１のデマルチプレクサ内に遮断不良の第１スイッチが存在するときと存在しないときとで異なる表示が行われる。これにより、パネル検査の際に、第１スイッチの遮断不良を検出することができる。また、本発明の構成によれば、画像の表示状態に基づいて不良の有無の判断が行われるので、例えば電圧値を測定するための装置等が不要である。以上より、回路規模を増大させることなく、パネル検査の際に通常時に動作する第１スイッチ（サンプリングスイッチ）の不良をも検出することができる表示パネルが実現される。【００２４】
本発明の第２の局面によれば、映像信号線への第２の映像信号の印加を可能とするか否かを切り替える動作制御部が比較的少ない数のスイッチで実現される構成の表示パネルにおいて、本発明の第１の局面と同様の効果が得られる。【００２５】
本発明の第３の局面によれば、映像信号線の延びる方向とは垂直方向（走査信号線の延びる方向）についての額縁面積を大きくすることなく、本発明の第１の局面と同様の効果を奏する表示パネルが実現される。【００２６】
本発明の第４の局面によれば、映像信号線の延びる方向とは垂直方向（走査信号線の延びる方向）についての額縁面積を大きくすることなく、本発明の第１の局面と同様の効果を奏する表示パネルが実現される。【００２７】
本発明の第５の局面によれば、表示パネル内の全ての第２のデマルチプレクサの入力部には共通の信号が与えられるので、回路規模の増大が抑制される。【００２８】
本発明の第６の局面によれば、デマルチプレクサを構成するスイッチに薄膜トランジスタが採用されている表示パネルにおいて、本発明の第１の局面と同様の効果が得られる。【００２９】
本発明の第７の局面によれば、本発明の第１の局面と同様の効果が得られる表示パネルを備えた表示モジュールが実現される。【００３０】
本発明の第８の局面によれば、映像信号線の一端側に第１スイッチからなる第１のデマルチプレクサを備え、映像信号線の他端側に第２スイッチからなる第２のデマルチプレクサを備えた構成の表示パネルについての検査が行われたとき、第１のデマルチプレクサ内に開放不良の第１スイッチが存在しなければ、検査対象の表示色に対応する映像信号線には所定の第１レベルの電圧が印加され、検査対象以外の表示色に対応する映像信号線には所定の第２レベルの電圧が印加される。一方、第１のデマルチプレクサ内に開放不良の第１スイッチが存在すれば、検査対象の表示色に対応する映像信号線に第１レベル以外の電圧が印加されることや検査対象以外の表示色に対応する映像信号線に第２レベル以外の電圧が印加されることが生じる。これにより、パネル検査の際に、通常時に動作する第１スイッチ（サンプリングスイッチ）についての開放不良をも検出することが可能となる。【００３１】
本発明の第９の局面によれば、映像信号線の一端側に第１スイッチからなる第１のデマルチプレクサを備え、映像信号線の他端側に第２スイッチからなる第２のデマルチプレクサを備えた構成の表示パネルについての検査が行われたとき、複数本の映像信号線への第２の映像信号の書き込み終了後における当該複数本の映像信号線の電位は、第１のデマルチプレクサ内に遮断不良の第１スイッチが存在する場合と存在しない場合とでは異なる。これにより、パネル検査の際に、通常時に動作する第１スイッチ（サンプリングスイッチ）についての遮断不良をも検出することが可能となる。
【図面の簡単な説明】
【００３２】
【図１】本発明の第１の実施形態に係る液晶パネルに含まれる第１の分配回路および第２の分配回路の構成を示す回路図である。
【図２】上記第１の実施形態に係る液晶パネルの要部の構成を示すブロック図である。
【図３】上記第１の実施形態において、液晶パネルにソースドライバが実装された状態を示すブロック図である。
【図４】上記第１の実施形態において、第１の分配回路の詳細な構成を示す回路図である。
【図５】上記第１の実施形態において、第２の分配回路の詳細な構成を示す回路図である。
【図６】上記第１の実施形態において、分配制御信号，切替制御信号，通常時用分配制御信号，および検査時用分配制御信号についての検査時および通常時における波形を示す信号波形図である。
【図７】上記第１の実施形態において、ハイレベルにされる分配制御信号と通常時に書き込みが行われるソースバスラインと検査時に書き込みが行われるソースバスラインとの対応関係を示す図である。
【図８】上記第１の実施形態において、開放不良を検出するためのパネル検査について説明するための信号波形図である。
【図９】上記第１の実施形態において、赤色表示の検査が行われるときのソースバスラインの電位の変化を示す信号波形図である。
【図１０】上記第１の実施形態において、サンプリングスイッチに開放不良がある場合の動作について説明するための図である。
【図１１】上記第１の実施形態において、緑色表示の検査が行われるときのソースバスラインの電位の変化を示す信号波形図である。
【図１２】上記第１の実施形態において、青色表示の検査が行われるときのソースバスラインの電位の変化を示す信号波形図である。
【図１３】上記第１の実施形態において、遮断不良を検出するためのパネル検査について説明するための信号波形図である。
【図１４】上記第１の実施形態において、Ｒ／Ｂ書込検査が行われるときのソースバスラインの電位の変化を示す信号波形図である。
【図１５】上記第１の実施形態において、Ｒ／Ｇ書込検査が行われるときのソースバスラインの電位の変化を示す信号波形図である。
【図１６】上記第１の実施形態において、Ｇ／Ｂ書込検査が行われるときのソースバスラインの電位の変化を示す信号波形図である。
【図１７】上記第１の実施形態の変形例における構成を示す回路図である。
【図１８】上記第１の実施形態の別の変形例における構成を示す回路図である。
【図１９】本発明の第２の実施形態に係る液晶パネルに含まれる第１の分配回路および第２の分配回路の構成を示す回路図である。
【図２０】上記第２の実施形態において、ハイレベルにされる分配制御信号と通常時に書き込みが行われるソースバスラインと検査時に書き込みが行われるソースバスラインとの対応関係を示す図である。
【図２１】上記第２の実施形態において、開放不良を検出するためのパネル検査について説明するための信号波形図である。
【図２２】上記第２の実施形態において、赤色表示の検査が行われるときのソースバスラインの電位の変化を示す信号波形図である。
【図２３】上記第２の実施形態において、緑色表示の検査が行われるときのソースバスラインの電位の変化を示す信号波形図である。
【図２４】上記第２の実施形態において、青色表示の検査が行われるときのソースバスラインの電位の変化を示す信号波形図である。
【図２５】上記第２の実施形態において、遮断不良を検出するためのパネル検査について説明するための信号波形図である。
【図２６】上記第２の実施形態において、Ｒ／Ｂ書込検査が行われるときのソースバスラインの電位の変化を示す信号波形図である。
【図２７】上記第２の実施形態において、Ｒ／Ｇ書込検査が行われるときのソースバスラインの電位の変化を示す信号波形図である。
【図２８】上記第２の実施形態において、Ｇ／Ｂ書込検査が行われるときのソースバスラインの電位の変化を示す信号波形図である。
【図２９】本発明の第３の実施形態における液晶パネルの駆動方法を説明するための信号波形図である。
【図３０】上記第３の実施形態の変形例における液晶パネルの駆動方法を説明するための信号波形図である。
【図３１】検査用回路を備えた従来の液晶パネルの要部の構成を示すブロック図である。
【図３２】従来例において、第１の分配回路，第２の分配回路，および切替回路の構成を示す回路図である。
【図３３】従来例において、ハイレベルにされる分配制御信号と通常時に書き込みが行われるソースバスラインと検査時に書き込みが行われるソースバスラインとの対応関係を示す図である。
【発明を実施するための形態】
【００３３】
以下、添付図面を参照しつつ、本発明の実施形態について説明する。
【００３４】
＜１．第１の実施形態＞
＜１．１  全体構成＞
図２は、本発明の第１の実施形態に係る液晶パネルの要部の構成を示すブロック図である。この液晶パネルは、図２に示すように、画像を表示する領域となる画素回路部１０と、外部から送られる信号を複数の信号線に切り替えつつ出力する機能を有する第１の分配回路２０および第２の分配回路３０とによって構成されている。これら画素回路部１０，第１の分配回路２０，および第２の分配回路３０は、液晶パネルを構成する２枚のガラス基板のうちの一方のガラス基板（一般に「アレイ基板」と呼ばれている）上に形成されている。
【００３５】
画素回路部１０には、複数本のソースバスライン（映像信号線）ＳＬと、複数本のゲートバスライン（走査信号線）と、ソースバスラインＳＬとゲートバスラインとの交差点にそれぞれ対応して設けられた複数個の画素形成部とが含まれている。なお、図２には、画素回路部１０の構成要素のうちソースバスラインＳＬのみを示している。各画素形成部は、対応する交差点を通過するゲートバスラインにゲート端子が接続されると共に当該交差点を通過するソースバスラインＳＬにソース端子が接続されたスイッチング素子である薄膜トランジスタ（ＴＦＴ）と、その薄膜トランジスタのドレイン端子に接続された画素電極と、上記複数個の画素形成部に共通的に設けられた対向電極である共通電極と、上記複数個の画素形成部に共通的に設けられ画素電極と共通電極との間に挟持された液晶層とによって構成されている。第１の分配回路２０および第２の分配回路３０についての詳しい説明は後述する。
【００３６】
ところで、液晶パネルの欠陥の有無を調べる検査（パネル検査）が終了すると、当該液晶パネルを駆動するためのドライバＩＣ（駆動用集積回路）の実装が行われる。液晶パネルにドライバＩＣが実装されることによって液晶モジュールが作製される。本実施形態においては、パネル検査の終了後、ソースバスラインＳＬを駆動するためのソースドライバ４０が図３に示すようにガラス基板上にＩＣチップの形態で実装される。すなわち、本実施形態においては、ＩＣチップの実装方式にはＣＯＧ（Ｃｈｉｐ  Ｏｎ  Ｇｌａｓｓ）方式が採用されている。なお、ＦＰＣ（Ｆｌｅｘｉｂｌｅ  Ｐｒｉｎｔｅｄ  Ｃｉｒｃｕｉｔ：フレキシブルプリント基板）上にＩＣチップが搭載されるＣＯＦ（Ｃｈｉｐ  Ｏｎ  Ｆｉｌｍ）方式などＣＯＧ方式以外の実装方式を採用する液晶パネルにおいても本発明を適用することができる。ゲートバスラインを駆動するためのゲートドライバについては、予めガラス基板上にモノリシックに形成されるものやソースドライバと同様にＩＣチップの形態でガラス基板上に実装されるもの等があるが、本発明には直接に関係しないのでその説明および図示を省略する。
【００３７】
ソースドライバ４０は、液晶パネル外（例えば、液晶パネルに取り付けられたＰＣＢ）の制御回路から送られるデータ信号やタイミング信号に基づいて、ソースバスラインＳＬを駆動する。但し、後述するパネル検査が行われる時点においては、液晶モジュールとしては完成していない状態すなわちソースドライバ４０が未だガラス基板上に実装されていない状態であるので、ソースバスラインＳＬがソースドライバ４０によって駆動されることはない。
【００３８】
＜１．２  分配回路の構成および動作＞
図１は、第１の分配回路２０および第２の分配回路３０の構成を示す回路図である。なお、図１には、複数本のソースバスラインのうちの６本のソースバスラインＳＬ１〜ＳＬ６のみを示している。第１の分配回路２０には、１つの入力信号を複数の信号線に切り替えつつ出力する複数個のデマルチプレクサが含まれている。詳しくは、図４に示すように、赤色用，緑色用，および青色用の３本のソースバスライン毎に１入力３出力のデマルチプレクサが設けられている。１入力３出力であるので、各デマルチプレクサには３個のスイッチ（例えば薄膜トランジスタ）が含まれている。これらのスイッチのことを以下「サンプリングスイッチ」という。
【００３９】
図４に示すように、第１の分配回路２０内の複数個のデマルチプレクサＤＭＵ１、ＤＭＵ２、・・・、ＤＭＵｎには、それぞれ異なる入力信号が与えられる。例えば、ソースバスラインＳＬ１〜ＳＬ３に対応して設けられているデマルチプレクサＤＭＵ１には映像信号Ｖ１が与えられ、ソースバスラインＳＬ４〜ＳＬ６に対応して設けられているデマルチプレクサＤＭＵ２には映像信号Ｖ２が与えられ、ソースバスラインＳＬ（３ｎ−２）〜ＳＬ（３ｎ）に対応して設けられているデマルチプレクサＤＭＵｎには映像信号Ｖｎが与えられる。また、赤色用のソースバスラインＳＬ１、ＳＬ４、・・・、ＳＬ（３ｎ−２）に対応して設けられているサンプリングスイッチＴＲＵ１、ＴＲＵ２、・・・、ＴＲＵｎのオン／オフ状態は制御信号Ｕ＿ＡＳＷ１によって制御され、緑色用のソースバスラインＳＬ２、ＳＬ５、・・・、ＳＬ（３ｎ−１）に対応して設けられているサンプリングスイッチＴＧＵ１、ＴＧＵ２、・・・、ＴＧＵｎのオン／オフ状態は制御信号Ｕ＿ＡＳＷ２によって制御され、青色用のソースバスラインＳＬ３、ＳＬ６、・・・、ＳＬ（３ｎ）に対応して設けられているサンプリングスイッチＴＢＵ１、ＴＢＵ２、・・・、ＴＢＵｎのオン／オフ状態は制御信号Ｕ＿ＡＳＷ３によって制御される。
【００４０】
ところで、映像信号Ｖ１〜Ｖｎは、上述のソースドライバ４０から送られる。従って、ソースドライバ４０が未だガラス基板上に実装されていない状態で行われるパネル検査の際には、映像信号Ｖ１〜ＶｎはデマルチプレクサＤＭＵ１〜ＤＭＵｎには与えられない。なお、図１では、ソースドライバ４０から送られる映像信号Ｖ１，Ｖ２を受け取るための入力端子にそれぞれ符号５６，５７を付している。
【００４１】
第２の分配回路３０は、複数個のデマルチプレクサからなる分配部３１と、分配部３１への信号の伝達を制御する動作制御部３２とによって構成されている。分配部３１には、図５に示すように、第１の分配回路２０と同様、赤色用，緑色用，および青色用の３本のソースバスライン毎に１入力３出力のデマルチプレクサが設けられている。各デマルチプレクサには３個のスイッチ（例えば薄膜トランジスタ）が含まれている。これらのスイッチのことを以下「検査用スイッチ」という。
【００４２】
第２の分配回路３０においては、第１の分配回路２０とは異なり、複数個のデマルチプレクサＤＭＴ１、ＤＭＴ２、・・・、ＤＭＴｎには共通の（１つの）テスト用映像信号Ｔ＿ＶＩＤＥＯが入力信号として与えられる。テスト用映像信号Ｔ＿ＶＩＤＥＯは、図１において符号５５で示す入力端子に外部から与えられる。また、赤色用のソースバスラインＳＬ１、ＳＬ４、・・・、ＳＬ（３ｎ−２）に対応して設けられている検査用スイッチＴＲＴ１、ＴＲＴ２、・・・、ＴＲＴｎのオン／オフ状態は制御信号Ｔ＿ＡＳＷ１によって制御され、緑色用のソースバスラインＳＬ２、ＳＬ５、・・・、ＳＬ（３ｎ−１）に対応して設けられている検査用スイッチＴＧＴ１、ＴＧＴ２、・・・、ＴＧＴｎのオン／オフ状態は制御信号Ｔ＿ＡＳＷ２によって制御され、青色用のソースバスラインＳＬ３、ＳＬ６、・・・、ＳＬ（３ｎ）に対応して設けられている検査用スイッチＴＢＴ１、ＴＢＴ２、・・・、ＴＢＴｎのオン／オフ状態は制御信号Ｔ＿ＡＳＷ３によって制御される。
【００４３】
動作制御部３２には、図１に示すように、分配部３１への信号の伝達を制御する３個のスイッチＳＷ１〜ＳＷ３が含まれている。それら３個のスイッチＳＷ１〜ＳＷ３のオン／オフ状態は、符号５４で示す入力端子に外部から与えられる制御信号（切替制御信号）Ｔ＿ＳＭＰによって制御される。本実施形態においては、制御信号Ｔ＿ＳＭＰがハイレベルであればスイッチＳＷ１〜ＳＷ３はオン状態となり、制御信号Ｔ＿ＳＭＰがローレベルであればスイッチＳＷ１〜ＳＷ３はオフ状態となる。
【００４４】
ところで、第１の分配回路２０や第２の分配回路３０が形成されているガラス基板上には図１に示すように入力端子５１〜５３が設けられており、それら入力端子５１〜５３には制御信号ＡＳＷ１〜ＡＳＷ３が与えられる。制御信号ＡＳＷ１は、制御信号Ｕ＿ＡＳＷ１として第１の分配回路２０に与えられるとともに、スイッチＳＷ１がオン状態の時に制御信号Ｔ＿ＡＳＷ３として第２の分配回路３０内の分配部３１に与えられる。制御信号ＡＳＷ２は、制御信号Ｕ＿ＡＳＷ２として第１の分配回路２０に与えられるとともに、スイッチＳＷ２がオン状態の時に制御信号Ｔ＿ＡＳＷ１として第２の分配回路３０内の分配部３１に与えられる。制御信号ＡＳＷ３は、制御信号Ｕ＿ＡＳＷ３として第１の分配回路２０に与えられるとともに、スイッチＳＷ３がオン状態の時に制御信号Ｔ＿ＡＳＷ１として第２の分配回路３０内の分配部３１に与えられる。
【００４５】
以上のような構成において、検査時と通常時とで、上述した３個のスイッチＳＷ１〜ＳＷ３のオン／オフ状態が切り替えられる。これにより、検査時と通常時とでは異なる動作が行われる。これについて以下に説明する。
【００４６】
図６は、分配制御信号，切替制御信号，通常時用分配制御信号，および検査時用分配制御信号についての検査時および通常時における波形を示す信号波形図である。図６に示すように、制御信号Ｔ＿ＳＭＰは、検査時にはハイレベルで維持され、通常時にはローレベルで維持される。このため、動作制御部３２内のスイッチＳＷ１〜ＳＷ３は、検査時にはオン状態で維持され、通常時にはオフ状態で維持される。これにより、検査時においては、制御信号ＡＳＷ１がハイレベルとなっている期間には制御信号Ｕ＿ＡＳＷ１，Ｔ＿ＡＳＷ３がハイレベルとなり、制御信号ＡＳＷ２がハイレベルとなっている期間には制御信号Ｕ＿ＡＳＷ２，Ｔ＿ＡＳＷ１がハイレベルとなり、制御信号ＡＳＷ３がハイレベルとなっている期間には制御信号Ｕ＿ＡＳＷ３，Ｔ＿ＡＳＷ２がハイレベルとなる。一方、通常時においては、制御信号ＡＳＷ１がハイレベルとなっている期間には制御信号Ｕ＿ＡＳＷ１のみがハイレベルとなり、制御信号ＡＳＷ２がハイレベルとなっている期間には制御信号Ｕ＿ＡＳＷ２のみがハイレベルとなり、制御信号ＡＳＷ３がハイレベルとなっている期間には制御信号Ｕ＿ＡＳＷ３のみがハイレベルとなる。
【００４７】
ここで、検査時には（ソースドライバ４０が存在しないため）映像信号が第１の分配回路２０に与えられないことを考慮すると、ハイレベルにされる分配制御信号と通常時に書き込みが行われるソースバスラインと検査時に書き込みが行われるソースバスラインとの対応関係は、図７に示すとおりとなる。従来の構成においては、或る分配制御信号がハイレベルになった場合に着目すると、図３２に示したように、通常時と検査時とで同じソースバスラインに対して書き込みが行われていた。これに対して、本実施形態においては、或る分配制御信号がハイレベルになった場合に着目すると、通常時と検査時とでは異なるソースバスラインに対して書き込みが行われる。
【００４８】
なお、本実施形態においては、赤色用，緑色用，および青色用の３本のソースバスラインによって１組の映像信号線群が構成されている。また、本実施形態においては、第１の分配回路２０内のデマルチプレクサによって第１のデマルチプレクサが実現され、第２の分配回路３０内のデマルチプレクサによって第２のデマルチプレクサが実現され、サンプリングスイッチによって第１スイッチが実現され、検査用スイッチによって第２スイッチが実現されている。
【００４９】
＜１．３  液晶パネルの検査方法＞
次に、図８〜図１６を参照しつつ、本実施形態に係る液晶パネルの検査方法について説明する。以下において、まず、サンプリングスイッチの開放不良を検出するためのパネル検査の方法について説明し、次に、サンプリングスイッチの遮断不良を検出するためのパネル検査の方法について説明する。開放不良とは、サンプリングスイッチをオフ状態にすることができなくなっている（常にオン状態になっている）ことをいい、遮断不良とは、サンプリングスイッチをオン状態にすることができなくなっている（常にオフ状態になっている）ことをいう。なお、以下のパネル検査に関し、「テスト用映像信号Ｔ＿ＶＩＤＥＯの書き込みが行われる前には、ソースバスラインの電位は中間階調のレベルになっている」と仮定する。以下、ソースバスラインＳＬ１〜ＳＬ３と、サンプリングスイッチＴＲＵ１，ＴＧＵ１，およびＴＢＵ１と、検査用スイッチＴＲＴ１，ＴＧＴ１，およびＴＢＴ１とに着目して説明する。
【００５０】
＜１．３．１  開放不良を検出するためのパネル検査の方法＞
開放不良を検出するためのパネル検査の際には、図８に示すように、例えばＡＳＷ２、ＡＳＷ３、ＡＳＷ１の順序で分配制御信号が所定期間ずつハイレベルとされる。なお、図８で符号Ｔ１，Ｔ２，およびＴ３で示す期間のことを、以下、それぞれ第１期間，第２期間，および第３期間という。切替制御信号Ｔ＿ＳＭＰについては、上述したように、パネル検査が行われている期間を通じてハイレベルで維持される。これにより、通常用分配制御信号については、第１期間Ｔ１にはＵ＿ＡＳＷ２がハイレベルとなり、第２期間Ｔ２にはＵ＿ＡＳＷ３がハイレベルとなり、第３期間Ｔ３にはＵ＿ＡＳＷ１がハイレベルとなる。検査用分配制御信号については、第１期間Ｔ１にはＴ＿ＡＳＷ１がハイレベルとなり、第２期間Ｔ２にはＴ＿ＡＳＷ２がハイレベルとなり、第３期間Ｔ３にはＴ＿ＡＳＷ３がハイレベルとなる。ところで、この検査には、赤色表示の検査，緑色表示の検査，および青色表示の検査が含まれている。図８に示すように、赤色表示の検査の際には第１期間Ｔ１にのみテスト用映像信号Ｔ＿ＶＩＤＥＯがハイレベルにされ、緑色表示の検査の際には第２期間Ｔ２にのみテスト用映像信号Ｔ＿ＶＩＤＥＯがハイレベルにされ、青色表示の検査の際には第３期間Ｔ３にのみテスト用映像信号Ｔ＿ＶＩＤＥＯがハイレベルにされる。例えば、共通電極の電圧を０Ｖとすると、テスト用映像信号Ｔ＿ＶＩＤＥＯの電圧は、ハイレベルのときには５Ｖにされ、ローレベルのときには０Ｖにされる。
【００５１】
＜１．３．１．１  赤色表示の検査＞
図９は、赤色表示の検査が行われるときのソースバスラインＳＬ１〜ＳＬ３の電位の変化を示す信号波形図である。このとき、上述したように、テスト用映像信号Ｔ＿ＶＩＤＥＯについては第１期間Ｔ１にのみハイレベルとなる。
【００５２】
サンプリングスイッチに開放不良がない場合には次のように動作する。第１期間Ｔ１には、制御信号Ｔ＿ＡＳＷ１，Ｕ＿ＡＳＷ２がハイレベルとなることから、検査用スイッチＴＲＴ１とサンプリングスイッチＴＧＵ１とがオン状態となる。これにより、検査用スイッチＴＲＴ１を介して、ハイレベルのテスト用映像信号Ｔ＿ＶＩＤＥＯがソースバスラインＳＬ１に印加される。第２期間Ｔ２には、制御信号Ｔ＿ＡＳＷ２，Ｕ＿ＡＳＷ３がハイレベルとなることから、検査用スイッチＴＧＴ１とサンプリングスイッチＴＢＵ１とがオン状態となる。これにより、検査用スイッチＴＧＴ１を介して、ローレベルのテスト用映像信号Ｔ＿ＶＩＤＥＯがソースバスラインＳＬ２に印加される。第３期間Ｔ３には、制御信号Ｔ＿ＡＳＷ３，Ｕ＿ＡＳＷ１がハイレベルとなることから、検査用スイッチＴＢＴ１とサンプリングスイッチＴＲＵ１とがオン状態となる。これにより、検査用スイッチＴＢＴ１を介して、ローレベルのテスト用映像信号Ｔ＿ＶＩＤＥＯがソースバスラインＳＬ３に印加される。以上のようにして、第３期間Ｔ３が終了した時点には、ソースバスラインＳＬ１にはハイレベルの電圧が印加され、ソースバスラインＳＬ２，ＳＬ３にはローレベルの電圧が印加されている。その結果、正常なサンプリングスイッチのみを含むラインの領域では、赤色表示が行われる。
【００５３】
サンプリングスイッチに開放不良がある場合には次のように動作する。なお、ここでは、サンプリングスイッチＴＲＵ１が開放不良であると仮定する。第１期間Ｔ１には、制御信号Ｔ＿ＡＳＷ１，Ｕ＿ＡＳＷ２がハイレベルとなることから、検査用スイッチＴＲＴ１とサンプリングスイッチＴＧＵ１とがオン状態となる。これにより、検査用スイッチＴＲＴ１を介して、ハイレベルのテスト用映像信号Ｔ＿ＶＩＤＥＯがソースバスラインＳＬ１に印加される。また、サンプリングスイッチＴＲＵ１が開放不良であると仮定しているので、第１期間Ｔ１には、サンプリングスイッチＴＲＵ１もオン状態となる。これにより、図１０において符号１９で示す矢印のように、サンプリングスイッチＴＲＵ１，ＴＧＵ１を介して、ハイレベルのテスト用映像信号Ｔ＿ＶＩＤＥＯがソースバスラインＳＬ１からソースバスラインＳＬ２に与えられる。第２期間Ｔ２には、制御信号Ｔ＿ＡＳＷ２，Ｕ＿ＡＳＷ３がハイレベルとなることから、検査用スイッチＴＧＴ１とサンプリングスイッチＴＢＵ１とがオン状態となる。これにより、検査用スイッチＴＧＴ１を介して、ローレベルのテスト用映像信号Ｔ＿ＶＩＤＥＯがソースバスラインＳＬ２に印加される。また、サンプリングスイッチＴＲＵ１もオン状態であるので、サンプリングスイッチＴＲＵ１，ＴＢＵ１を介して、ソースバスラインＳＬ１とソースバスラインＳＬ３との間で電荷の分配が行われる。これにより、ソースバスラインＳＬ１の電位は低下し、ソースバスラインＳＬ３の電位は上昇する。第３期間Ｔ３には、制御信号Ｔ＿ＡＳＷ３，Ｕ＿ＡＳＷ１がハイレベルとなることから、検査用スイッチＴＢＴ１とサンプリングスイッチＴＲＵ１とがオン状態となる。これにより、検査用スイッチＴＢＴ１を介して、ローレベルのテスト用映像信号Ｔ＿ＶＩＤＥＯがソースバスラインＳＬ３に印加される。以上のようにして、第３期間Ｔ３が終了した時点には、ソースバスラインＳＬ１には中間レベルの電圧が印加され、ソースバスラインＳＬ２，ＳＬ３にはローレベルの電圧が印加されている。その結果、開放不良のサンプリングスイッチが存在するラインの領域では、赤色表示は行われず、グレー表示が行われる。
【００５４】
＜１．３．１．２  緑色表示の検査＞
図１１は、緑色表示の検査が行われるときのソースバスラインＳＬ１〜ＳＬ３の電位の変化を示す信号波形図である。このとき、上述したように、テスト用映像信号Ｔ＿ＶＩＤＥＯについては第２期間Ｔ２にのみハイレベルとなる。
【００５５】
サンプリングスイッチに開放不良がない場合には次のように動作する。第１期間Ｔ１には、制御信号Ｔ＿ＡＳＷ１，Ｕ＿ＡＳＷ２がハイレベルとなることから、検査用スイッチＴＲＴ１とサンプリングスイッチＴＧＵ１とがオン状態となる。これにより、検査用スイッチＴＲＴ１を介して、ローレベルのテスト用映像信号Ｔ＿ＶＩＤＥＯがソースバスラインＳＬ１に印加される。第２期間Ｔ２には、制御信号Ｔ＿ＡＳＷ２，Ｕ＿ＡＳＷ３がハイレベルとなることから、検査用スイッチＴＧＴ１とサンプリングスイッチＴＢＵ１とがオン状態となる。これにより、検査用スイッチＴＧＴ１を介して、ハイレベルのテスト用映像信号Ｔ＿ＶＩＤＥＯがソースバスラインＳＬ２に印加される。第３期間Ｔ３には、制御信号Ｔ＿ＡＳＷ３，Ｕ＿ＡＳＷ１がハイレベルとなることから、検査用スイッチＴＢＴ１とサンプリングスイッチＴＲＵ１とがオン状態となる。これにより、検査用スイッチＴＢＴ１を介して、ローレベルのテスト用映像信号Ｔ＿ＶＩＤＥＯがソースバスラインＳＬ３に印加される。以上のようにして、第３期間Ｔ３が終了した時点には、ソースバスラインＳＬ１，ＳＬ３にはローレベルの電圧が印加され、ソースバスラインＳＬ２にはハイレベルの電圧が印加されている。その結果、正常なサンプリングスイッチのみを含むラインの領域では、緑色表示が行われる。
【００５６】
サンプリングスイッチに開放不良がある場合には次のように動作する。なお、ここでは、サンプリングスイッチＴＲＵ１が開放不良であると仮定する。第１期間Ｔ１には、制御信号Ｔ＿ＡＳＷ１，Ｕ＿ＡＳＷ２がハイレベルとなることから、検査用スイッチＴＲＴ１とサンプリングスイッチＴＧＵ１とがオン状態となる。これにより、検査用スイッチＴＲＴ１を介して、ローレベルのテスト用映像信号Ｔ＿ＶＩＤＥＯがソースバスラインＳＬ１に印加される。また、サンプリングスイッチＴＲＵ１が開放不良であると仮定しているので、第１期間Ｔ１には、サンプリングスイッチＴＲＵ１もオン状態となる。これにより、サンプリングスイッチＴＲＵ１，ＴＧＵ１を介して、ローレベルのテスト用映像信号Ｔ＿ＶＩＤＥＯがソースバスラインＳＬ１からソースバスラインＳＬ２に与えられる。第２期間Ｔ２には、制御信号Ｔ＿ＡＳＷ２，Ｕ＿ＡＳＷ３がハイレベルとなることから、検査用スイッチＴＧＴ１とサンプリングスイッチＴＢＵ１とがオン状態となる。これにより、検査用スイッチＴＧＴ１を介して、ハイレベルのテスト用映像信号Ｔ＿ＶＩＤＥＯがソースバスラインＳＬ２に印加される。また、サンプリングスイッチＴＲＵ１もオン状態であるので、サンプリングスイッチＴＲＵ１，ＴＢＵ１を介して、ソースバスラインＳＬ１とソースバスラインＳＬ３との間で電荷の分配が行われる。これにより、ソースバスラインＳＬ１の電位は上昇し、ソースバスラインＳＬ３の電位は低下する。第３期間Ｔ３には、制御信号Ｔ＿ＡＳＷ３，Ｕ＿ＡＳＷ１がハイレベルとなることから、検査用スイッチＴＢＴ１とサンプリングスイッチＴＲＵ１とがオン状態となる。これにより、検査用スイッチＴＢＴ１を介して、ローレベルのテスト用映像信号Ｔ＿ＶＩＤＥＯがソースバスラインＳＬ３に印加される。以上のようにして、第３期間Ｔ３が終了した時点には、ソースバスラインＳＬ１には中間レベルの電圧が印加され、ソースバスラインＳＬ２にはハイレベルの電圧が印加され、ソースバスラインＳＬ３にはローレベルの電圧が印加されている。その結果、開放不良のサンプリングスイッチが存在するラインの領域では、緑色表示は行われない。
【００５７】
＜１．３．１．３  青色表示の検査＞
図１２は、青色表示の検査が行われるときのソースバスラインＳＬ１〜ＳＬ３の電位の変化を示す信号波形図である。このとき、上述したように、テスト用映像信号Ｔ＿ＶＩＤＥＯについては第３期間Ｔ３にのみハイレベルとなる。
【００５８】
サンプリングスイッチに開放不良がない場合には次のように動作する。第１期間Ｔ１には、制御信号Ｔ＿ＡＳＷ１，Ｕ＿ＡＳＷ２がハイレベルとなることから、検査用スイッチＴＲＴ１とサンプリングスイッチＴＧＵ１とがオン状態となる。これにより、検査用スイッチＴＲＴ１を介して、ローレベルのテスト用映像信号Ｔ＿ＶＩＤＥＯがソースバスラインＳＬ１に印加される。第２期間Ｔ２には、制御信号Ｔ＿ＡＳＷ２，Ｕ＿ＡＳＷ３がハイレベルとなることから、検査用スイッチＴＧＴ１とサンプリングスイッチＴＢＵ１とがオン状態となる。これにより、検査用スイッチＴＧＴ１を介して、ローレベルのテスト用映像信号Ｔ＿ＶＩＤＥＯがソースバスラインＳＬ２に印加される。第３期間Ｔ３には、制御信号Ｔ＿ＡＳＷ３，Ｕ＿ＡＳＷ１がハイレベルとなることから、検査用スイッチＴＢＴ１とサンプリングスイッチＴＲＵ１とがオン状態となる。これにより、検査用スイッチＴＢＴ１を介して、ハイレベルのテスト用映像信号Ｔ＿ＶＩＤＥＯがソースバスラインＳＬ３に印加される。以上のようにして、第３期間Ｔ３が終了した時点には、ソースバスラインＳＬ１，ＳＬ２にはローレベルの電圧が印加され、ソースバスラインＳＬ３にはハイレベルの電圧が印加されている。その結果、正常なサンプリングスイッチのみを含むラインの領域では、青色表示が行われる。
【００５９】
サンプリングスイッチに開放不良がある場合には次のように動作する。なお、ここでは、サンプリングスイッチＴＲＵ１が開放不良であると仮定する。第１期間Ｔ１には、制御信号Ｔ＿ＡＳＷ１，Ｕ＿ＡＳＷ２がハイレベルとなることから、検査用スイッチＴＲＴ１とサンプリングスイッチＴＧＵ１とがオン状態となる。これにより、検査用スイッチＴＲＴ１を介して、ローレベルのテスト用映像信号Ｔ＿ＶＩＤＥＯがソースバスラインＳＬ１に印加される。また、サンプリングスイッチＴＲＵ１が開放不良であると仮定しているので、第１期間Ｔ１には、サンプリングスイッチＴＲＵ１もオン状態となる。これにより、サンプリングスイッチＴＲＵ１，ＴＧＵ１を介して、ローレベルのテスト用映像信号Ｔ＿ＶＩＤＥＯがソースバスラインＳＬ１からソースバスラインＳＬ２に与えられる。第２期間Ｔ２には、制御信号Ｔ＿ＡＳＷ２，Ｕ＿ＡＳＷ３がハイレベルとなることから、検査用スイッチＴＧＴ１とサンプリングスイッチＴＢＵ１とがオン状態となる。これにより、検査用スイッチＴＧＴ１を介して、ハイレベルのテスト用映像信号Ｔ＿ＶＩＤＥＯがソースバスラインＳＬ２に印加される。また、サンプリングスイッチＴＲＵ１もオン状態であるので、サンプリングスイッチＴＲＵ１，ＴＢＵ１を介して、ソースバスラインＳＬ１とソースバスラインＳＬ３との間で電荷の分配が行われる。これにより、ソースバスラインＳＬ１の電位は上昇し、ソースバスラインＳＬ３の電位は低下する。第３期間Ｔ３には、制御信号Ｔ＿ＡＳＷ３，Ｕ＿ＡＳＷ１がハイレベルとなることから、検査用スイッチＴＢＴ１とサンプリングスイッチＴＲＵ１とがオン状態となる。これにより、検査用スイッチＴＢＴ１を介して、ハイレベルのテスト用映像信号Ｔ＿ＶＩＤＥＯがソースバスラインＳＬ３に印加される。以上のようにして、第３期間Ｔ３が終了した時点には、ソースバスラインＳＬ１には中間レベルの電圧が印加され、ソースバスラインＳＬ２にはローレベルの電圧が印加され、ソースバスラインＳＬ３にはハイレベルの電圧が印加されている。その結果、開放不良のサンプリングスイッチが存在するラインの領域では、青色表示は行われない。
【００６０】
＜１．３．１．４  まとめ＞
以上のように、正常なサンプリングスイッチのみを含むラインの領域では、赤色表示，緑色表示，および青色表示の全てが正常に行われる。一方、開放不良のサンプリングスイッチが存在するラインの領域では、赤色表示，緑色表示，および青色表示の全てもしくは一部が正常に行われない。これにより、サンプリングスイッチの開放不良を検出することができる。
【００６１】
＜１．３．２  遮断不良を検出するためのパネル検査の方法＞
遮断不良を検出するためのパネル検査の際には、分配制御信号ＡＳＷ１〜ＡＳＷ３のうちいずれか２つが所定期間（第１期間Ｔ１）ハイレベルとされる。図１３には、分配制御信号のうちＡＳＷ１とＡＳＷ２とが第１期間Ｔ１にハイレベルにされる場合の信号波形図を示している。切替制御信号Ｔ＿ＳＭＰについては、上述したように、パネル検査が行われている期間を通じてハイレベルで維持される。これにより、第１期間Ｔ１には、ハイレベルにされた分配制御信号に対応する２つの通常用分配制御信号および２つの検査用分配制御信号がハイレベルとなる。テスト用映像信号Ｔ＿ＶＩＤＥＯについては、第１期間Ｔ１にハイレベルとされる。ところで、この検査には、赤色用および青色用のソースバスラインへの書き込み検査（以下、「Ｒ／Ｂ書込検査」という。）と、赤色用および緑色用のソースバスラインへの書き込み検査（以下、「Ｒ／Ｇ書込検査」という。）と、緑色用および青色用のソースバスラインへの書き込み検査（以下、「Ｇ／Ｂ書込検査」という。）とが含まれている。
【００６２】
＜１．３．２．１  Ｒ／Ｂ書込検査＞
図１４は、Ｒ／Ｂ書込検査が行われるときのソースバスラインＳＬ１〜ＳＬ３の電位の変化を示す信号波形図である。このとき、第１期間Ｔ１には、分配制御信号のうちＡＳＷ１とＡＳＷ２とがハイレベルにされる。
【００６３】
サンプリングスイッチに遮断不良がない場合には次のように動作する。第１期間Ｔ１には、検査用分配制御信号についてはＴ＿ＡＳＷ１とＴ＿ＡＳＷ３とがハイレベルとなることから、検査用スイッチＴＲＴ１，ＴＢＴ１がオン状態となる。これにより、検査用スイッチＴＲＴ１，ＴＢＴ１を介して、ハイレベルのテスト用映像信号Ｔ＿ＶＩＤＥＯがソースバスラインＳＬ１，ＳＬ３に印加される。また、第１期間Ｔ１には、通常用分配制御信号についてはＵ＿ＡＳＷ１とＵ＿ＡＳＷ２とがハイレベルとなることから、サンプリングスイッチＴＲＵ１，ＴＧＵ１がオン状態となる。これにより、ソースバスラインＳＬ１からサンプリングスイッチＴＲＵ１，ＴＧＵ１を介して、ハイレベルのテスト用映像信号Ｔ＿ＶＩＤＥＯがソースバスラインＳＬ２にも印加される。以上のようにして、第１期間Ｔ１が終了した時点においては、ソースバスラインＳＬ１〜ＳＬ３にはハイレベルの電圧が印加されている。その結果、正常なサンプリングスイッチのみを含むラインの領域では、白色表示が行われる。
【００６４】
サンプリングスイッチに遮断不良がある場合には次のように動作する。なお、ここでは、サンプリングスイッチＴＲＵ１が遮断不良であると仮定する。第１期間Ｔ１には、サンプリングスイッチに遮断不良がない場合と同様、検査用スイッチＴＲＴ１，ＴＢＴ１がオン状態となり、ハイレベルのテスト用映像信号Ｔ＿ＶＩＤＥＯがソースバスラインＳＬ１，ＳＬ３に印加される。また、第１期間Ｔ１には、通常用分配制御信号についてはＵ＿ＡＳＷ１とＵ＿ＡＳＷ２とがハイレベルとなるが、サンプリングスイッチＴＲＵ１が遮断不良であると仮定しているので、サンプリングスイッチＴＧＵ１のみがオン状態となる。このとき、サンプリングスイッチＴＲＵ１，ＴＢＵ１はオフ状態であるので、ソースバスラインＳＬ２にはテスト用映像信号Ｔ＿ＶＩＤＥＯは印加されない。以上のようにして、第１期間Ｔ１が終了した時点においては、ソースバスラインＳＬ１，ＳＬ３にはハイレベルの電圧が印加され、ソースバスラインＳＬ２には中間レベルの電圧が印加されている。その結果、遮断不良のサンプリングスイッチが存在するラインの領域では、白色表示は行われない。
【００６５】
＜１．３．２．２  Ｒ／Ｇ書込検査＞
図１５は、Ｒ／Ｇ書込検査が行われるときのソースバスラインＳＬ１〜ＳＬ３の電位の変化を示す信号波形図である。このとき、第１期間Ｔ１には、分配制御信号のうちＡＳＷ２とＡＳＷ３とがハイレベルにされる。
【００６６】
サンプリングスイッチに遮断不良がない場合には次のように動作する。第１期間Ｔ１には、検査用分配制御信号についてはＴ＿ＡＳＷ１とＴ＿ＡＳＷ２とがハイレベルとなることから、検査用スイッチＴＲＴ１，ＴＧＴ１がオン状態となる。これにより、検査用スイッチＴＲＴ１，ＴＧＴ１を介して、ハイレベルのテスト用映像信号Ｔ＿ＶＩＤＥＯがソースバスラインＳＬ１，ＳＬ２に印加される。また、第１期間Ｔ１には、通常用分配制御信号についてはＵ＿ＡＳＷ２とＵ＿ＡＳＷ３とがハイレベルとなることから、サンプリングスイッチＴＧＵ１，ＴＢＵ１がオン状態となる。これにより、ソースバスラインＳＬ２からサンプリングスイッチＴＧＵ１，ＴＢＵ１を介して、ハイレベルのテスト用映像信号Ｔ＿ＶＩＤＥＯがソースバスラインＳＬ３にも印加される。以上のようにして、第１期間Ｔ１が終了した時点においては、ソースバスラインＳＬ１〜ＳＬ３にはハイレベルの電圧が印加されている。その結果、正常なサンプリングスイッチのみを含むラインの領域では、白色表示が行われる。
【００６７】
サンプリングスイッチに遮断不良がある場合には次のように動作する。なお、ここでは、サンプリングスイッチＴＲＵ１が遮断不良であると仮定する。第１期間Ｔ１には、サンプリングスイッチに遮断不良がない場合と同様、検査用スイッチＴＲＴ１，ＴＧＴ１がオン状態となり、ハイレベルのテスト用映像信号Ｔ＿ＶＩＤＥＯがソースバスラインＳＬ１，ＳＬ２に印加される。また、第１期間Ｔ１には、通常用分配制御信号についてはＵ＿ＡＳＷ２とＵ＿ＡＳＷ３とがハイレベルとなることから、サンプリングスイッチに遮断不良がない場合と同様、ソースバスラインＳＬ２からサンプリングスイッチＴＧＵ１，ＴＢＵ１を介して、ハイレベルのテスト用映像信号Ｔ＿ＶＩＤＥＯがソースバスラインＳＬ３にも印加される。以上のようにして、第１期間Ｔ１が終了した時点においては、ソースバスラインＳＬ１〜ＳＬ３にはハイレベルの電圧が印加されている。その結果、この検査に関しては、遮断不良のサンプリングスイッチが存在するにもかかわらず、白色表示が行われる。
【００６８】
＜１．３．２．３  Ｇ／Ｂ書込検査＞
図１６は、Ｇ／Ｂ書込検査が行われるときのソースバスラインＳＬ１〜ＳＬ３の電位の変化を示す信号波形図である。このとき、第１期間Ｔ１には、分配制御信号のうちＡＳＷ１とＡＳＷ３とがハイレベルにされる。
【００６９】
サンプリングスイッチに遮断不良がない場合には次のように動作する。第１期間Ｔ１には、検査用分配制御信号についてはＴ＿ＡＳＷ２とＴ＿ＡＳＷ３とがハイレベルとなることから、検査用スイッチＴＧＴ１，ＴＢＴ１がオン状態となる。これにより、検査用スイッチＴＧＴ１，ＴＢＴ１を介して、ハイレベルのテスト用映像信号Ｔ＿ＶＩＤＥＯがソースバスラインＳＬ２，ＳＬ３に印加される。また、第１期間Ｔ１には、通常用分配制御信号についてはＵ＿ＡＳＷ１とＵ＿ＡＳＷ３とがハイレベルとなることから、サンプリングスイッチＴＲＵ１，ＴＢＵ１がオン状態となる。これにより、ソースバスラインＳＬ３からサンプリングスイッチＴＢＵ１，ＴＲＵ１を介して、ハイレベルのテスト用映像信号Ｔ＿ＶＩＤＥＯがソースバスラインＳＬ１にも印加される。以上のようにして、第１期間Ｔ１が終了した時点においては、ソースバスラインＳＬ１〜ＳＬ３にはハイレベルの電圧が印加されている。その結果、正常なサンプリングスイッチのみを含むラインの領域では、白色表示が行われる。
【００７０】
サンプリングスイッチに遮断不良がある場合には次のように動作する。なお、ここでは、サンプリングスイッチＴＲＵ１が遮断不良であると仮定する。第１期間Ｔ１には、サンプリングスイッチに遮断不良がない場合と同様、検査用スイッチＴＧＴ１，ＴＢＴ１がオン状態となり、ハイレベルのテスト用映像信号Ｔ＿ＶＩＤＥＯがソースバスラインＳＬ２，ＳＬ３に印加される。また、第１期間Ｔ１には、通常用分配制御信号についてはＵ＿ＡＳＷ１とＵ＿ＡＳＷ３とがハイレベルとなるが、サンプリングスイッチＴＲＵ１が遮断不良であると仮定しているので、サンプリングスイッチＴＢＵ１のみがオン状態となる。このとき、サンプリングスイッチＴＲＵ１，ＴＧＵ１はオフ状態であるので、ソースバスラインＳＬ１にはテスト用映像信号Ｔ＿ＶＩＤＥＯは印加されない。以上のようにして、第１期間Ｔ１が終了した時点においては、ソースバスラインＳＬ２，ＳＬ３にはハイレベルの電圧が印加され、ソースバスラインＳＬ１には中間レベルの電圧が印加されている。その結果、遮断不良のサンプリングスイッチが存在するラインの領域では、白色表示は行われない。
【００７１】
＜１．３．２．４  まとめ＞
以上のように、正常なサンプリングスイッチのみを含むラインの領域では、Ｒ／Ｂ書込検査，Ｒ／Ｇ書込検査，およびＧ／Ｂ書込検査の全てにおいて白色表示が行われる。一方、遮断不良のサンプリングスイッチが存在するラインの領域では、Ｒ／Ｂ書込検査，Ｒ／Ｇ書込検査，およびＧ／Ｂ書込検査の全てもしくは一部において白色表示が行われない。これにより、サンプリングスイッチの遮断不良を検出することができる。
【００７２】
＜１．４  効果＞
本実施形態によれば、サンプリングスイッチおよび検査用スイッチのオン／オフ状態を制御する３つの分配制御信号のうちの任意の信号を着目制御信号としたとき、着目制御信号によってオン状態にされるサンプリングスイッチに接続されたソースバスラインと着目制御信号によってオン状態にされる検査用スイッチに接続されたソースバスラインとは異なっている。このため、テスト用映像信号Ｔ＿ＶＩＤＥＯがハイレベルになっているときに或る分配制御信号に基づいてサンプリングスイッチと検査用スイッチとをオン状態にすると、開放不良のサンプリングスイッチが存在しなければ、１組の映像信号線群を構成する３本のソースバスラインのうち１本のソースバスラインのみにハイレベルの電圧が印加される。これに対して、開放不良のサンプリングスイッチが存在すれば、１組の映像信号線群を構成する３本のソースバスラインのうち２本以上のソースバスラインにハイレベルの電圧が印加されることや１本のソースバスラインに蓄積されていた電荷が２本以上のソースバスラインに分配されることが生じる。これにより、パネル検査の際に、サンプリングスイッチの開放不良を検出することができる。また、テスト用映像信号Ｔ＿ＶＩＤＥＯがハイレベルになっているときに２つの分配制御信号に基づいてサンプリングスイッチと検査用スイッチとをオン状態にすると、遮断不良のサンプリングスイッチが存在しなければ、１組の映像信号線群を構成する３本のソースバスラインの全てにハイレベルの電圧が印加される。これに対して、遮断不良のサンプリングスイッチが存在すれば、１組の映像信号線群を構成する３本のソースバスラインのうち２本のソースバスラインのみにハイレベルの電圧が印加されることが生じ得る。詳しくは、遮断不良のサンプリングスイッチが存在すれば、テスト用映像信号Ｔ＿ＶＩＤＥＯがハイレベルになっているときに、３つの分配制御信号のうちの２つの分配制御信号についての全ての組み合わせに基づいてサンプリングスイッチおよび検査用スイッチをオン状態にすると、１組の映像信号線群を構成する３本のソースバスラインのうち２本のソースバスラインのみにハイレベルの電圧が印加されることが必ず生じる。これにより、パネル検査の際に、サンプリングスイッチの遮断不良を検出することができる。
【００７３】
また、図１（本実施形態における回路図）と図３２（従来例における回路図）とから把握されるように、本実施形態においては、従来例と比較して回路規模が大きくなることはない。このため、パネルの狭額縁化を図ることができる。さらに、サンプリングスイッチはソースバスラインの一端側に配置され、検査用スイッチはソースバスラインの他端側に配置されているので、表示部（画素回路部）を基準としてサンプリングスイッチ側（ソースドライバ側）の狭額縁化を図ることが容易になる。
【００７４】
＜１．５  変形例＞
上記第１の実施形態においては、第２の分配回路３０内の分配部３１に与えられる検査用分配制御信号の伝達を３個のスイッチＳＷ１〜ＳＷ３で制御することによってソースバスラインへのテスト用映像信号Ｔ＿ＶＩＤＥＯの出力が制御されていたが、本発明はこれに限定されない。例えば、図１７において符号３３で示すように、分配部３１と画素回路部１０との間に各ソースバスラインへのテスト用映像信号Ｔ＿ＶＩＤＥＯの出力を制御するスイッチ（例えば、薄膜トランジスタ）を備える構成にしても良い。また、図１７に示した構成に代えて、図１８において符号３４で示すように、テスト用映像信号Ｔ＿ＶＩＤＥＯを伝達する信号線と分配部３１内のサンプリングスイッチとの間にテスト用映像信号Ｔ＿ＶＩＤＥＯの伝達を制御するスイッチ（例えば、薄膜トランジスタ）を備える構成にしても良い。なお、図１７に示す構成においては、符号３３で示す領域内の複数個のスイッチによって動作制御部が実現され、図１８に示す構成においては、符号３４で示す領域内の複数個のスイッチによって動作制御部が実現されている。
【００７５】
上述した変形例によると、上記第１の実施形態と比較して、ソースバスラインの延びる方向とは垂直方向（ゲートバスラインの延びる方向）についての額縁面積を大きくすることなく、パネル検査の際に通常時に動作するサンプリングスイッチの不良をも検出することができる液晶パネルが実現される。
【００７６】
＜２．第２の実施形態＞
＜２．１  分配回路の構成および動作＞
図１９は、本発明の第２の実施形態における第１の分配回路２０および第２の分配回路３０の詳細な構成を示す回路図である。なお、図１には、複数本のソースバスラインのうちの６本のソースバスラインＳＬ１〜ＳＬ６のみを示している。液晶パネルの全体構成については、上記第１の実施形態と同様であるので説明を省略する（図２，図３参照）。本実施形態においては、上記第１の実施形態とは異なり、第１の分配回路２０には、６本のソースバスライン毎に１入力６出力のデマルチプレクサが設けられている。同様に、第２の分配回路３０内の分配部３５にも、６本のソースバスライン毎に１入力６出力のデマルチプレクサが設けられている。図１９に示す６本のソースバスラインＳＬ１〜ＳＬ６に対応する構成要素に着目すると、第１の分配回路２０には、６個のサンプリングスイッチＴＲＵ１，ＴＧＵ１，ＴＢＵ１，ＴＲＵ２，ＴＧＵ２，およびＴＢＵ２が設けられ、第２の分配回路３０内の分配部３５には、６個の検査用スイッチＴＲＴ１，ＴＧＴ１，ＴＢＴ１，ＴＲＴ２，ＴＧＴ２，およびＴＢＴ２が設けられている。また、１入力６出力のデマルチプレクサが分配部３５に設けられているので、動作制御部３６には６個のスイッチＳＷ１〜ＳＷ６が設けられている。これら６個のスイッチＳＷ１〜ＳＷ６のオン／オフ状態は、上記第１の実施形態と同様、外部から送られる制御信号Ｔ＿ＳＭＰによって制御される。
【００７７】
サンプリングスイッチＴＲＵ１，ＴＧＵ１，ＴＢＵ１，ＴＲＵ２，ＴＧＵ２，およびＴＢＵ２のオン／オフ状態は、それぞれ制御信号Ｕ＿ＡＳＷ１，Ｕ＿ＡＳＷ２，Ｕ＿ＡＳＷ３，Ｕ＿ＡＳＷ４，Ｕ＿ＡＳＷ５，およびＵ＿ＡＳＷ６によって制御される。検査用スイッチＴＲＴ１，ＴＧＴ１，ＴＢＴ１，ＴＲＴ２，ＴＧＴ２，およびＴＢＴ２のオン／オフ状態は、それぞれ制御信号Ｔ＿ＡＳＷ１，Ｔ＿ＡＳＷ２，Ｔ＿ＡＳＷ３，Ｔ＿ＡＳＷ４，Ｔ＿ＡＳＷ５，およびＴ＿ＡＳＷ６によって制御される。
【００７８】
また、本実施形態においては、外部から分配制御信号ＡＳＷ１〜ＡＳＷ６が与えられる。分配制御信号ＡＳＷ１，ＡＳＷ２，ＡＳＷ３，ＡＳＷ４，ＡＳＷ５，およびＡＳＷ６は、それぞれ通常用分配制御信号Ｕ＿ＡＳＷ１，Ｕ＿ＡＳＷ２，Ｕ＿ＡＳＷ３，Ｕ＿ＡＳＷ４，Ｕ＿ＡＳＷ５，およびＵ＿ＡＳＷ６として第１の分配回路２０に与えられる。分配制御信号ＡＳＷ１，ＡＳＷ２，ＡＳＷ３，ＡＳＷ４，ＡＳＷ５，およびＡＳＷ６は、また、動作制御部３６内のスイッチＳＷ１〜ＳＷ６がオン状態の時に、それぞれ検査用分配制御信号Ｔ＿ＡＳＷ６，Ｔ＿ＡＳＷ１，Ｔ＿ＡＳＷ２，Ｔ＿ＡＳＷ３，Ｔ＿ＡＳＷ４，およびＴ＿ＡＳＷ５として第２の分配回路３０内の分配部３５に与えられる。
【００７９】
以上のような構成において、検査時と通常時とで、上述した６個のスイッチＳＷ１〜ＳＷ６のオン／オフ状態が切り替えられる。具体的には、検査時には制御信号Ｔ＿ＳＭＰがハイレベルで維持されてスイッチＳＷ１〜ＳＷ６がオン状態となり、通常時には制御信号Ｔ＿ＳＭＰがローレベルで維持されてスイッチＳＷ１〜ＳＷ６がオフ状態となる。これにより、検査時においては、制御信号ＡＳＷ１がハイレベルとなっている期間には制御信号Ｕ＿ＡＳＷ１，Ｔ＿ＡＳＷ６がハイレベルとなり、制御信号ＡＳＷ２がハイレベルとなっている期間には制御信号Ｕ＿ＡＳＷ２，Ｔ＿ＡＳＷ１がハイレベルとなり、制御信号ＡＳＷ３がハイレベルとなっている期間には制御信号Ｕ＿ＡＳＷ３，Ｔ＿ＡＳＷ２がハイレベルとなり、制御信号ＡＳＷ４がハイレベルとなっている期間には制御信号Ｕ＿ＡＳＷ４，Ｔ＿ＡＳＷ３がハイレベルとなり、制御信号ＡＳＷ５がハイレベルとなっている期間には制御信号Ｕ＿ＡＳＷ５，Ｔ＿ＡＳＷ４がハイレベルとなり、制御信号ＡＳＷ６がハイレベルとなっている期間には制御信号Ｕ＿ＡＳＷ６，Ｔ＿ＡＳＷ５がハイレベルとなる。一方、通常時においては、制御信号ＡＳＷ１がハイレベルとなっている期間には制御信号Ｕ＿ＡＳＷ１のみがハイレベルとなり、制御信号ＡＳＷ２がハイレベルとなっている期間には制御信号Ｕ＿ＡＳＷ２のみがハイレベルとなり、制御信号ＡＳＷ３がハイレベルとなっている期間には制御信号Ｕ＿ＡＳＷ３のみがハイレベルとなり、制御信号ＡＳＷ４がハイレベルとなっている期間には制御信号Ｕ＿ＡＳＷ４のみがハイレベルとなり、制御信号ＡＳＷ５がハイレベルとなっている期間には制御信号Ｕ＿ＡＳＷ５のみがハイレベルとなり、制御信号ＡＳＷ６がハイレベルとなっている期間には制御信号Ｕ＿ＡＳＷ６のみがハイレベルとなる。
【００８０】
ここで、検査時には（ソースドライバ４０が存在しないため）映像信号が第１の分配回路２０に与えられないことを考慮すると、ハイレベルにされる分配制御信号と通常時に書き込みが行われるソースバスラインと検査時に書き込みが行われるソースバスラインとの対応関係は、図２０に示すとおりとなる。このように、本実施形態においても、或る分配制御信号がハイレベルになった場合に着目すると、通常時と検査時とでは異なるソースバスラインに対して書き込みが行われる。
【００８１】
＜２．２  液晶パネルの検査方法＞
次に、図２１〜図２８を参照しつつ、本実施形態に係る液晶パネルの検査方法について説明する。なお、上記第１の実施形態と同様、以下のパネル検査に関し、「テスト用映像信号Ｔ＿ＶＩＤＥＯの書き込みが行われる前には、ソースバスラインの電位は中間階調のレベルになっている」と仮定する。以下、ソースバスラインＳＬ１〜ＳＬ６と、サンプリングスイッチＴＲＵ１，ＴＧＵ１，ＴＢＵ１，ＴＲＵ２，ＴＧＵ２，およびＴＢＵ２と、検査用スイッチＴＲＴ１，ＴＧＴ１，ＴＢＴ１，ＴＲＴ２，ＴＧＴ２，およびＴＢＴ２とに着目して説明する。
【００８２】
＜２．２．１  開放不良を検出するためのパネル検査の方法＞
開放不良を検出するためのパネル検査の際には、図２１に示すように、例えばＡＳＷ２、ＡＳＷ３、ＡＳＷ４、ＡＳＷ５、ＡＳＷ６、ＡＳＷ１の順序で分配制御信号が所定期間ずつハイレベルとされる。なお、図２１で符号Ｔ１，Ｔ２，Ｔ３，Ｔ４，Ｔ５，およびＴ６で示す期間のことを、以下、それぞれ第１期間，第２期間，第３期間，第４期間，第５期間，および第６期間という。切替制御信号Ｔ＿ＳＭＰについては、上述したように、パネル検査が行われている期間を通じてハイレベルで維持される。これにより、通常用分配制御信号については、第１期間Ｔ１，第２期間Ｔ２，第３期間Ｔ３，第４期間Ｔ４，第５期間Ｔ５，および第６期間Ｔ６には、それぞれＵ＿ＡＳＷ２，Ｕ＿ＡＳＷ３，Ｕ＿ＡＳＷ４，Ｕ＿ＡＳＷ５，Ｕ＿ＡＳＷ６，およびＵ＿ＡＳＷ１がハイレベルとなる。検査用分配制御信号については、第１期間Ｔ１，第２期間Ｔ２，第３期間Ｔ３，第４期間Ｔ４，第５期間Ｔ５，および第６期間Ｔ６には、それぞれＴ＿ＡＳＷ１，Ｔ＿ＡＳＷ２，Ｔ＿ＡＳＷ３，Ｔ＿ＡＳＷ４，Ｔ＿ＡＳＷ５，およびＴ＿ＡＳＷ６がハイレベルとなる。また、本実施形態においては、図２１に示すように、赤色表示の検査の際には第１期間Ｔ１および第４期間Ｔ４にテスト用映像信号Ｔ＿ＶＩＤＥＯがハイレベルにされ、緑色表示の検査の際には第２期間Ｔ２および第５期間Ｔ５にテスト用映像信号Ｔ＿ＶＩＤＥＯがハイレベルにされ、青色表示の検査の際には第３期間Ｔ３および第６期間Ｔ６にテスト用映像信号Ｔ＿ＶＩＤＥＯがハイレベルにされる。
【００８３】
図２２は、赤色表示の検査が行われるときのソースバスラインＳＬ１〜ＳＬ６の電位の変化を示す信号波形図である。このとき、上述したように、テスト用映像信号Ｔ＿ＶＩＤＥＯについては第１期間Ｔ１および第４期間Ｔ４にハイレベルとなる。
【００８４】
サンプリングスイッチに開放不良がない場合には次のように動作する。第１期間Ｔ１には、制御信号Ｔ＿ＡＳＷ１，Ｕ＿ＡＳＷ２がハイレベルとなることから、検査用スイッチＴＲＴ１とサンプリングスイッチＴＧＵ１とがオン状態となる。これにより、検査用スイッチＴＲＴ１を介して、ハイレベルのテスト用映像信号Ｔ＿ＶＩＤＥＯがソースバスラインＳＬ１に印加される。第２期間Ｔ２には、制御信号Ｔ＿ＡＳＷ２，Ｕ＿ＡＳＷ３がハイレベルとなることから、検査用スイッチＴＧＴ１とサンプリングスイッチＴＢＵ１とがオン状態となる。これにより、検査用スイッチＴＧＴ１を介して、ローレベルのテスト用映像信号Ｔ＿ＶＩＤＥＯがソースバスラインＳＬ２に印加される。第３期間Ｔ３には、制御信号Ｔ＿ＡＳＷ３，Ｕ＿ＡＳＷ４がハイレベルとなることから、検査用スイッチＴＢＴ１とサンプリングスイッチＴＲＵ２とがオン状態となる。これにより、検査用スイッチＴＢＴ１を介して、ローレベルのテスト用映像信号Ｔ＿ＶＩＤＥＯがソースバスラインＳＬ３に印加される。第４期間Ｔ４には、制御信号Ｔ＿ＡＳＷ４，Ｕ＿ＡＳＷ５がハイレベルとなることから、検査用スイッチＴＲＴ２とサンプリングスイッチＴＧＵ２とがオン状態となる。これにより、検査用スイッチＴＲＴ２を介して、ハイレベルのテスト用映像信号Ｔ＿ＶＩＤＥＯがソースバスラインＳＬ４に印加される。第５期間Ｔ５には、制御信号Ｔ＿ＡＳＷ５，Ｕ＿ＡＳＷ６がハイレベルとなることから、検査用スイッチＴＧＴ２とサンプリングスイッチＴＢＵ２とがオン状態となる。これにより、検査用スイッチＴＧＴ２を介して、ローレベルのテスト用映像信号Ｔ＿ＶＩＤＥＯがソースバスラインＳＬ５に印加される。第６期間Ｔ６には、制御信号Ｔ＿ＡＳＷ６，Ｕ＿ＡＳＷ１がハイレベルとなることから、検査用スイッチＴＢＴ２とサンプリングスイッチＴＲＵ１とがオン状態となる。これにより、検査用スイッチＴＢＴ２を介して、ローレベルのテスト用映像信号Ｔ＿ＶＩＤＥＯがソースバスラインＳＬ６に印加される。以上のようにして、第６期間Ｔ６が終了した時点には、ソースバスラインＳＬ１，ＳＬ４にはハイレベルの電圧が印加され、ソースバスラインＳＬ２，ＳＬ３，ＳＬ５，およびＳＬ６にはローレベルの電圧が印加されている。その結果、正常なサンプリングスイッチのみを含むラインの領域では、赤色表示が行われる。
【００８５】
サンプリングスイッチに開放不良がある場合には次のように動作する。なお、ここでは、サンプリングスイッチＴＲＵ１が開放不良であると仮定する。第１期間Ｔ１には、制御信号Ｔ＿ＡＳＷ１，Ｕ＿ＡＳＷ２がハイレベルとなることから、検査用スイッチＴＲＴ１とサンプリングスイッチＴＧＵ１とがオン状態となる。これにより、検査用スイッチＴＲＴ１を介して、ハイレベルのテスト用映像信号Ｔ＿ＶＩＤＥＯがソースバスラインＳＬ１に印加される。また、サンプリングスイッチＴＲＵ１が開放不良であると仮定しているので、第１期間Ｔ１には、サンプリングスイッチＴＲＵ１もオン状態となる。これにより、サンプリングスイッチＴＲＵ１，ＴＧＵ１を介して、ハイレベルのテスト用映像信号Ｔ＿ＶＩＤＥＯがソースバスラインＳＬ１からソースバスラインＳＬ２に与えられる。第２期間Ｔ２には、制御信号Ｔ＿ＡＳＷ２，Ｕ＿ＡＳＷ３がハイレベルとなることから、検査用スイッチＴＧＴ１とサンプリングスイッチＴＢＵ１とがオン状態となる。これにより、検査用スイッチＴＧＴ１を介して、ローレベルのテスト用映像信号Ｔ＿ＶＩＤＥＯがソースバスラインＳＬ２に印加される。また、サンプリングスイッチＴＲＵ１もオン状態であるので、サンプリングスイッチＴＲＵ１，ＴＢＵ１を介して、ソースバスラインＳＬ１とソースバスラインＳＬ３との間で電荷の分配が行われる。これにより、ソースバスラインＳＬ１の電位は低下し、ソースバスラインＳＬ３の電位は上昇する。第３期間Ｔ３には、制御信号Ｔ＿ＡＳＷ３，Ｕ＿ＡＳＷ４がハイレベルとなることから、検査用スイッチＴＢＴ１とサンプリングスイッチＴＲＵ２とがオン状態となる。これにより、検査用スイッチＴＢＴ１を介して、ローレベルのテスト用映像信号Ｔ＿ＶＩＤＥＯがソースバスラインＳＬ３に印加される。また、サンプリングスイッチＴＲＵ１もオン状態であるので、サンプリングスイッチＴＲＵ１，ＴＲＵ２を介して、ソースバスラインＳＬ１とソースバスラインＳＬ４との間で電荷の分配が行われる。これにより、ソースバスラインＳＬ１の電位は低下し、ソースバスラインＳＬ４の電位は上昇する。第４期間Ｔ４には、制御信号Ｔ＿ＡＳＷ４，Ｕ＿ＡＳＷ５がハイレベルとなることから、検査用スイッチＴＲＴ２とサンプリングスイッチＴＧＵ２とがオン状態となる。これにより、検査用スイッチＴＲＴ２を介して、ハイレベルのテスト用映像信号Ｔ＿ＶＩＤＥＯがソースバスラインＳＬ４に印加される。また、サンプリングスイッチＴＲＵ１もオン状態であるので、サンプリングスイッチＴＲＵ１，ＴＧＵ２を介して、ソースバスラインＳＬ１とソースバスラインＳＬ５との間で電荷の分配が行われる。これにより、ソースバスラインＳＬ１の電位はやや低下し、ソースバスラインＳＬ５の電位はやや上昇する。第５期間Ｔ５には、制御信号Ｔ＿ＡＳＷ５，Ｕ＿ＡＳＷ６がハイレベルとなることから、検査用スイッチＴＧＴ２とサンプリングスイッチＴＢＵ２とがオン状態となる。これにより、検査用スイッチＴＧＴ２を介して、ローレベルのテスト用映像信号Ｔ＿ＶＩＤＥＯがソースバスラインＳＬ５に印加される。また、サンプリングスイッチＴＲＵ１もオン状態であるので、サンプリングスイッチＴＲＵ１，ＴＢＵ２を介して、ソースバスラインＳＬ１とソースバスラインＳＬ６との間で電荷の分配が行われる。これにより、ソースバスラインＳＬ１の電位はやや低下し、ソースバスラインＳＬ６の電位はやや上昇する。第６期間Ｔ６には、制御信号Ｔ＿ＡＳＷ６，Ｕ＿ＡＳＷ１がハイレベルとなることから、検査用スイッチＴＢＴ２とサンプリングスイッチＴＲＵ１とがオン状態となる。これにより、検査用スイッチＴＢＴ２を介して、ローレベルのテスト用映像信号Ｔ＿ＶＩＤＥＯがソースバスラインＳＬ６に印加される。以上のようにして、第６期間Ｔ６が終了した時点には、ソースバスラインＳＬ１には中間レベルの電圧が印加され、ソースバスラインＳＬ２，ＳＬ３，ＳＬ５，およびＳＬ６にはローレベルの電圧が印加され、ソースバスラインＳＬ４にはハイレベルの電圧が印加されている。その結果、開放不良のサンプリングスイッチが存在するラインの領域では、赤色表示は行われない。
【００８６】
緑色表示の検査および青色表示の検査については、赤色表示の検査と同様にして行われるので、詳しい説明を省略する。なお、図２３は、緑色表示の検査が行われるときのソースバスラインＳＬ１〜ＳＬ６の電位の変化を示す信号波形図であり、図２４は、青色表示の検査が行われるときのソースバスラインＳＬ１〜ＳＬ６の電位の変化を示す信号波形図である。開放不良のサンプリングスイッチが存在するラインの領域では、緑色表示の検査の結果、緑色表示は行われず、青色表示の検査の結果、青色表示は行われない。以上のようにして、１入力６出力のデマルチプレクサが第１の分配回路２０に設けられた構成においても、サンプリングスイッチの開放不良を検出することができる。
【００８７】
＜２．２．２  遮断不良を検出するためのパネル検査の方法＞
遮断不良を検出するためのパネル検査の際には、分配制御信号ＡＳＷ１〜ＡＳＷ６のうちの４つが所定期間（第１期間Ｔ１）ハイレベルとされる。具体的には、Ｒ／Ｂ書込検査の際にはＡＳＷ１，ＡＳＷ２，ＡＳＷ４，およびＡＳＷ５がハイレベルにされ、Ｒ／Ｇ書込検査の際にはＡＳＷ２，ＡＳＷ３，ＡＳＷ５，およびＡＳＷ６がハイレベルにされ、Ｇ／Ｂ書込検査の際にはＡＳＷ１，ＡＳＷ３，ＡＳＷ４，およびＡＳＷ６がハイレベルにされる。図２５には、分配制御信号のうちＡＳＷ１，ＡＳＷ２，ＡＳＷ４，およびＡＳＷ５が第１期間Ｔ１にハイレベルにされる場合の信号波形図を示している。切替制御信号Ｔ＿ＳＭＰについては、上述したように、パネル検査が行われている期間を通じてハイレベルで維持される。これにより、第１期間Ｔ１には、ハイレベルにされた分配制御信号に対応する４つの通常用分配制御信号および４つの検査用分配制御信号がハイレベルとなる。テスト用映像信号Ｔ＿ＶＩＤＥＯについては、第１期間Ｔ１にハイレベルとされる。
【００８８】
＜２．２．２．１  Ｒ／Ｂ書込検査＞
図２６は、Ｒ／Ｂ書込検査が行われるときのソースバスラインＳＬ１〜ＳＬ６の電位の変化を示す信号波形図である。このとき、第１期間Ｔ１には、分配制御信号のうちＡＳＷ１，ＡＳＷ２，ＡＳＷ４，およびＡＳＷ５がハイレベルにされる。
【００８９】
サンプリングスイッチに遮断不良がない場合には次のように動作する。第１期間Ｔ１には、検査用分配制御信号についてはＴ＿ＡＳＷ１，Ｔ＿ＡＳＷ３，Ｔ＿ＡＳＷ４，およびＴ＿ＡＳＷ６がハイレベルとなることから、検査用スイッチＴＲＴ１，ＴＢＴ１，ＴＲＴ２，およびＴＢＴ２がオン状態となる。これにより、検査用スイッチＴＲＴ１，ＴＢＴ１，ＴＲＴ２，およびＴＢＴ２を介して、ハイレベルのテスト用映像信号Ｔ＿ＶＩＤＥＯがソースバスラインＳＬ１，ＳＬ３，ＳＬ４，およびＳＬ６に印加される。また、第１期間Ｔ１には、通常用分配制御信号についてはＵ＿ＡＳＷ１，Ｕ＿ＡＳＷ２，Ｕ＿ＡＳＷ４，およびＵ＿ＡＳＷ５がハイレベルとなることから、サンプリングスイッチＴＲＵ１，ＴＧＵ１，ＴＲＵ２，およびＴＧＵ２がオン状態となる。これにより、ソースバスラインＳＬ１，ＳＬ４に印加されたハイレベルのテスト用映像信号Ｔ＿ＶＩＤＥＯが、オン状態になっているサンプリングスイッチを介してソースバスラインＳＬ２，ＳＬ５にも印加される。以上のようにして、第１期間Ｔ１が終了した時点においては、ソースバスラインＳＬ１〜ＳＬ６にはハイレベルの電圧が印加されている。その結果、正常なサンプリングスイッチのみを含むラインの領域では、白色表示が行われる。
【００９０】
サンプリングスイッチに遮断不良がある場合には次のように動作する。なお、ここでは、サンプリングスイッチＴＲＵ１が遮断不良であると仮定する。第１期間Ｔ１には、サンプリングスイッチに遮断不良がない場合と同様、検査用スイッチＴＲＴ１，ＴＢＴ１，ＴＲＴ２，およびＴＢＴ２がオン状態となり、ハイレベルのテスト用映像信号Ｔ＿ＶＩＤＥＯがソースバスラインＳＬ１，ＳＬ３，ＳＬ４，およびＳＬ６に印加される。また、第１期間Ｔ１には、通常用分配制御信号についてはＵ＿ＡＳＷ１，Ｕ＿ＡＳＷ２，Ｕ＿ＡＳＷ４，およびＵ＿ＡＳＷ５がハイレベルとなるが、サンプリングスイッチＴＲＵ１が遮断不良であると仮定しているので、サンプリングスイッチＴＧＵ１，ＴＲＵ２，およびＴＧＵ２がオン状態となる。これにより、ソースバスラインＳＬ４からサンプリングスイッチＴＲＵ２，ＴＧＵ２を介して、ハイレベルのテスト用映像信号Ｔ＿ＶＩＤＥＯがソースバスラインＳＬ５にも印加される。また、ソースバスラインＳＬ４からサンプリングスイッチＴＲＵ２，ＴＧＵ１を介して、ハイレベルのテスト用映像信号Ｔ＿ＶＩＤＥＯがソースバスラインＳＬ２にも印加される。以上のようにして、第１期間Ｔ１が終了した時点においては、ソースバスラインＳＬ１〜ＳＬ６にはハイレベルの電圧が印加されている。その結果、この検査に関しては、遮断不良のサンプリングスイッチが存在するにもかかわらず、白色表示が行われる
【００９１】
＜２．２．２．２  Ｒ／Ｇ書込検査＞
図２７は、Ｒ／Ｇ書込検査が行われるときのソースバスラインＳＬ１〜ＳＬ６の電位の変化を示す信号波形図である。このとき、第１期間Ｔ１には、分配制御信号のうちＡＳＷ２，ＡＳＷ３，ＡＳＷ５，およびＡＳＷ６がハイレベルにされる。サンプリングスイッチに遮断不良がない場合には、上述したＲ／Ｂ書込検査と同様の動作が行われ、白色表示が行われる。
【００９２】
サンプリングスイッチに遮断不良がある場合には次のように動作する。なお、ここでは、サンプリングスイッチＴＲＵ１が遮断不良であると仮定する。第１期間Ｔ１には、検査用分配制御信号についてはＴ＿ＡＳＷ１，Ｔ＿ＡＳＷ２，Ｔ＿ＡＳＷ４，およびＴ＿ＡＳＷ５がハイレベルとなることから、検査用スイッチＴＲＴ１，ＴＧＴ１，ＴＲＴ２，およびＴＧＴ２がオン状態となる。これにより、検査用スイッチＴＲＴ１，ＴＧＴ１，ＴＲＴ２，およびＴＧＴ２を介して、ハイレベルのテスト用映像信号Ｔ＿ＶＩＤＥＯがソースバスラインＳＬ１，ＳＬ２，ＳＬ４，およびＳＬ５に印加される。また、第１期間Ｔ１には、通常用分配制御信号についてはＵ＿ＡＳＷ２，Ｕ＿ＡＳＷ３，Ｕ＿ＡＳＷ５，およびＵ＿ＡＳＷ６がハイレベルとなることから、サンプリングスイッチＴＧＵ１，ＴＢＵ１，ＴＧＵ２，およびＴＢＵ２がオン状態となる。これにより、ソースバスラインＳＬ２，ＳＬ５に印加されたハイレベルのテスト用映像信号Ｔ＿ＶＩＤＥＯが、オン状態になっているサンプリングスイッチを介してソースバスラインＳＬ３，ＳＬ６にも印加される。以上のようにして、第１期間Ｔ１が終了した時点においては、ソースバスラインＳＬ１〜ＳＬ６にはハイレベルの電圧が印加されている。その結果、この検査に関しては、遮断不良のサンプリングスイッチが存在するにもかかわらず、白色表示が行われる。
【００９３】
＜２．２．２．３  Ｇ／Ｂ書込検査＞
図２８は、Ｇ／Ｂ書込検査が行われるときのソースバスラインＳＬ１〜ＳＬ６の電位の変化を示す信号波形図である。このとき、第１期間Ｔ１には、分配制御信号のうちＡＳＷ１，ＡＳＷ３，ＡＳＷ４，およびＡＳＷ６がハイレベルにされる。サンプリングスイッチに遮断不良がない場合には、上述したＲ／Ｂ書込検査と同様の動作が行われ、白色表示が行われる。
【００９４】
サンプリングスイッチに遮断不良がある場合には次のように動作する。なお、ここでは、サンプリングスイッチＴＲＵ１が遮断不良であると仮定する。第１期間Ｔ１には、検査用分配制御信号についてはＴ＿ＡＳＷ２，Ｔ＿ＡＳＷ３，Ｔ＿ＡＳＷ５，およびＴ＿ＡＳＷ６がハイレベルとなることから、検査用スイッチＴＧＴ１，ＴＢＴ１，ＴＧＴ２，およびＴＢＴ２がオン状態となる。これにより、検査用スイッチＴＧＴ１，ＴＢＴ１，ＴＧＴ２，およびＴＢＴ２を介して、ハイレベルのテスト用映像信号Ｔ＿ＶＩＤＥＯがソースバスラインＳＬ２，ＳＬ３，ＳＬ５，およびＳＬ６に印加される。また、第１期間Ｔ１には、通常用分配制御信号についてはＵ＿ＡＳＷ１，Ｕ＿ＡＳＷ３，Ｕ＿ＡＳＷ４，およびＵ＿ＡＳＷ６がハイレベルとなるが、サンプリングスイッチＴＲＵ１が遮断不良であると仮定しているので、サンプリングスイッチＴＢＵ１，ＴＲＵ２，およびＴＢＵ２がオン状態となる。これにより、ソースバスラインＳＬ３，ＳＬ６に印加されたハイレベルのテスト用映像信号Ｔ＿ＶＩＤＥＯが、オン状態になっているサンプリングスイッチを介してソースバスラインＳＬ４にも印加される。しかしながら、サンプリングスイッチＴＲＵ１はオフ状態であるので、ソースバスラインＳＬ１にはテスト用映像信号Ｔ＿ＶＩＤＥＯは印加されない。以上のようにして、第１期間Ｔ１が終了した時点においては、ソースバスラインＳＬ２〜ＳＬ６にはハイレベルの電圧が印加され、ソースバスラインＳＬ１には中間レベルの電圧が印加されている。その結果、遮断不良のサンプリングスイッチが存在するラインの領域では、白色表示は行われない。
【００９５】
＜２．２．２．４  まとめ＞
以上のように、本実施形態においても、遮断不良のサンプリングスイッチが存在するラインの領域では、Ｒ／Ｂ書込検査，Ｒ／Ｇ書込検査，およびＧ／Ｂ書込検査の全てもしくは一部において白色表示が行われない。これにより、１入力６出力のデマルチプレクサが第１の分配回路２０に設けられた構成においても、サンプリングスイッチの遮断不良を検出することができる。
【００９６】
＜２．３  効果＞
本実施形態によれば、第１の分配回路２０および第２の分配回路３０に１入力６出力のデマルチプレクサが設けられた構成の液晶パネルに関し、回路規模を増大させることなく、パネル検査の際に通常時に動作するサンプリングスイッチの不良をも検出することが可能となる。
【００９７】
＜３．第３の実施形態＞
＜３．１  構成＞
本発明の第３の実施形態に係る液晶パネルの構成は、第１の実施形態における構成と同様である（図１〜図５参照）。第１の実施形態においては、第２の分配回路３０は（典型的にはドライバＩＣを実装する前の）パネル検査用の回路として用いられていたが、本実施形態においては、ソースバスラインについてのプリチャージ（予備充電）用の回路として用いられる。従って、この第２の分配回路３０は、パネル検査用の回路として用いられることもできるし、プリチャージ用の回路として用いられることもできる。なお、説明の便宜上、第１の実施形態における「テスト用映像信号」のことを「プリチャージ用映像信号」といい、第１の実施形態における「検査用スイッチ」のことを「プリチャージ用スイッチ」という。
【００９８】
＜３．２  駆動方法＞
以下、図２９を参照しつつ、第２の分配回路３０がプリチャージ用の回路として用いられるときのソースバスラインの駆動方法について説明する。なお、本実施形態においては、液晶層への印加電圧の正負極性を１ゲートバスライン毎に反転させるいわゆるライン反転駆動方式が採用されている。従って、各ソースバスラインには１水平走査期間毎に極性の異なる映像信号が印加される。図２９では、時点ｔ１０に或る水平走査期間が開始され、時点ｔ２０に次の水平走査期間が開始されている。プリチャージ用映像信号Ｔ＿ＶＩＤＥＯについては、中間階調の電位に固定されている。なお、図２９ではソースバスラインに印加される映像信号ＶＩＤＥＯを１つの波形で示しているが、実際には、表示すべき画像に応じて異なる電位の映像信号が各ソースバスラインに印加される。
【００９９】
時点ｔ１０になると、制御信号ＡＳＷ１〜ＡＳＷ３がハイレベルにされる。この時、制御信号Ｔ＿ＳＭＰはハイレベルにされているので、スイッチＳＷ１〜ＳＷ３はオン状態になっている。従って、時点ｔ１０には、制御信号Ｕ＿ＡＳＷ１〜Ｕ＿ＡＳＷ３，Ｔ＿ＡＳＷ１〜Ｔ＿ＡＳＷ３がハイレベルとなる。これにより、全てのサンプリングスイッチと全てのプリチャージ用スイッチとがオン状態となる。ここで、時点ｔ０においては、第１の分配回路２０とソースドライバ４０とが電気的に切り離された状態になっており、映像信号ＶＩＤＥＯの電位は不定となっている。以上より、時点ｔ１０には、全てのソースバスラインにプリチャージ電位（プリチャージ用映像信号Ｔ＿ＶＩＤＥＯの電位）が書き込まれる。
【０１００】
時点ｔ１１になると、制御信号ＡＳＷ１〜ＡＳＷ３がローレベルにされる。これにより、全てのサンプリングスイッチと全てのプリチャージ用スイッチとがオフ状態となる。時点ｔ１２になると、制御信号Ｔ＿ＳＭＰがローレベルにされる。これにより、スイッチＳＷ１〜ＳＷ３はオフ状態となる。また、時点ｔ１２には、第１の分配回路２０とソースドライバ４０とが電気的に接続され、表示すべき画像に応じた映像信号ＶＩＤＥＯがソースドライバ４０から第１の分配回路２０に与えられる。
【０１０１】
時点ｔ１３になると、制御信号ＡＳＷ１がハイレベルにされる。これにより、制御信号Ｕ＿ＡＳＷ１がハイレベルとなる。この時、制御信号Ｔ＿ＳＭＰはローレベルにされているので、スイッチＳＷ１はオフ状態になっている。従って、制御信号Ｔ＿ＡＳＷ３についてはローレベルで維持される。以上より、サンプリングスイッチＴＲＵ１、ＴＲＵ２、・・・、ＴＲＵｎがオン状態となる。その結果、赤色用のソースバスラインＳＬ１、ＳＬ４、・・・、ＳＬ（３ｎ−２）に表示すべき画像に応じた映像信号ＶＩＤＥＯが印加される。時点ｔ１４になると、制御信号ＡＳＷ１がローレベルにされる。これにより、制御信号Ｕ＿ＡＳＷ１がローレベルとなり、サンプリングスイッチＴＲＵ１、ＴＲＵ２、・・・、ＴＲＵｎがオフ状態となる。
【０１０２】
時点ｔ１３から時点ｔ１４までの期間と同様にして、時点ｔ１５から時点ｔ１６までの期間には緑色用のソースバスラインＳＬ２、ＳＬ５、・・・、ＳＬ（３ｎ−１）に表示すべき画像に応じた映像信号ＶＩＤＥＯが印加され、時点ｔ１７から時点ｔ１８までの期間には青色用のソースバスラインＳＬ３、ＳＬ６、・・・、ＳＬ（３ｎ）に表示すべき画像に応じた映像信号ＶＩＤＥＯが印加される。
【０１０３】
時点ｔ１９になると、制御信号Ｔ＿ＳＭＰがハイレベルにされる。これにより、スイッチＳＷ１〜ＳＷ３がオン状態にされる。また、第１の分配回路２０とソースドライバ４０とが電気的に切り離された状態にされ、映像信号ＶＩＤＥＯの電位が不定となる。
【０１０４】
時点ｔ２０から時点ｔ２８までの期間には、時点ｔ１０から時点ｔ１８までの期間と同様にして、全てのソースバスラインにプリチャージ電位が書き込まれた後、赤色用、緑色用、青色用の順序で表示すべき画像に応じた映像信号ＶＩＤＥＯのソースバスラインへの印加が行われる。但し、ソースバスラインに印加される映像信号ＶＩＤＥＯの極性については、時点ｔ１３から時点ｔ１８までの期間と時点ｔ２３から時点ｔ２８までの期間とで逆になる。
【０１０５】
＜３．３  効果＞
本実施形態によれば、ソースバスラインの一端側には、映像信号ＶＩＤＥＯを複数のソースバスラインに出力するためのデマルチプレクサを含む第１の分配回路２０が設けられ、ソースバスラインの他端側には、所定の入力信号を複数のソースバスラインに出力するためのデマルチプレクサを含む第２の分配回路３０が設けられている。このような構成において、中間階調の電位に固定されたプリチャージ用映像信号Ｔ＿ＶＩＤＥＯが上記所定の入力信号として第２の分配回路３０に与えられる。そして、各水平走査期間の最初の所定期間において、第２の分配回路３０内のデマルチプレクサを構成する全てのスイッチがオン状態にされる。これにより、全てのソースバスラインにプリチャージ電位が書き込まれる。その後、第２の分配回路３０内のデマルチプレクサを構成する全てのスイッチはオフ状態にされ、表示すべき画像に応じた映像信号ＶＩＤＥＯが第１の分配回路２０側から各ソースバスラインに印加される。このように、各水平走査期間においてソースバスラインへのプリチャージが行われるので、各画素形成部において目標印加電圧への到達時間が短縮され、表示品位が改善される。
【０１０６】
また、本実施形態においては、回路構成（第１の分配回路２０および第２の分配回路３０の構成）が上記第１の実施形態と同じになっている。従って、比較的簡単な構成の回路を備えるだけで、パネル検査の際に通常時に動作するサンプリングスイッチの不良をも検出することができるという効果が得られるとともに、ソースバスラインへのプリチャージが可能となり表示品位が改善されるという効果が得られる。
【０１０７】
＜３．４  変形例＞
上記第３の実施形態においては、全てのソースバスラインにプリチャージ電位が書き込まれた後、赤色用、緑色用、青色用の順序で表示すべき画像に応じた映像信号ＶＩＤＥＯのソースバスラインへの印加が行われているが、本発明はこれに限定されない。以下のように、青色用、緑色用、赤色用の順序でソースバスラインへのプリチャージ電位の書き込みと映像信号電位の書き込みとが行われるようにすることもできる。以下、図３０を参照しつつ、本変形例におけるソースバスラインの駆動方法について説明する。なお、本変形例においても、プリチャージ用映像信号Ｔ＿ＶＩＤＥＯは、中間階調の電位に固定されている。
【０１０８】
時点ｔ１０になると、制御信号ＡＳＷ１がハイレベルにされる。この時、制御信号Ｔ＿ＳＭＰはハイレベルにされているので、スイッチＳＷ１はオン状態になっている。従って、時点ｔ１０には、制御信号Ｕ＿ＡＳＷ１，Ｔ＿ＡＳＷ３がハイレベルとなる。これにより、サンプリングスイッチＴＲＵ１、ＴＲＵ２、・・・、ＴＲＵｎとプリチャージ用スイッチＴＢＴ１、ＴＢＴ２、・・・、ＴＢＴｎとがオン状態となる。以上より、時点ｔ１０には、赤色用のソースバスラインＳＬ１、ＳＬ４、・・・、ＳＬ（３ｎ−２）に映像信号ＶＩＤＥＯの電位の書き込みが行われるとともに、青色用のソースバスラインＳＬ３、ＳＬ６、・・・、ＳＬ（３ｎ）にプリチャージ電位の書き込みが行われる。但し、時点ｔ１０における映像信号ＶＩＤＥＯの電位は仮の電位となっており、赤色用のソースバスラインＳＬ１、ＳＬ４、・・・、ＳＬ（３ｎ−２）への本来の書き込みは後述するように時点ｔ１７に行われる。時点ｔ１１になると、制御信号ＡＳＷ１がローレベルにされる。これにより、制御信号Ｕ＿ＡＳＷ１，Ｔ＿ＡＳＷ３はローレベルとなり、サンプリングスイッチＴＲＵ１、ＴＲＵ２、・・・、ＴＲＵｎおよびプリチャージ用スイッチＴＢＴ１、ＴＢＴ２、・・・、ＴＢＴｎはオフ状態となる。
【０１０９】
時点ｔ１２になると、制御信号ＡＳＷ３がハイレベルにされる。このため、制御信号Ｕ＿ＡＳＷ３，Ｔ＿ＡＳＷ２がハイレベルとなる。これにより、サンプリングスイッチＴＢＵ１、ＴＢＵ２、・・・、ＴＢＵｎとプリチャージ用スイッチＴＧＴ１、ＴＧＴ２、・・・、ＴＧＴｎとがオン状態となる。以上より、時点ｔ１２には、青色用のソースバスラインＳＬ３、ＳＬ６、・・・、ＳＬ（３ｎ）に映像信号ＶＩＤＥＯの電位の書き込みが行われるとともに、緑色用のソースバスラインＳＬ２、ＳＬ５、・・・、ＳＬ（３ｎ−１）にプリチャージ電位の書き込みが行われる。時点ｔ１３になると、制御信号ＡＳＷ３がローレベルにされる。これにより、制御信号Ｕ＿ＡＳＷ３，Ｔ＿ＡＳＷ２はローレベルとなり、サンプリングスイッチＴＢＵ１、ＴＢＵ２、・・・、ＴＢＵｎおよびプリチャージ用スイッチＴＧＴ１、ＴＧＴ２、・・・、ＴＧＴｎはオフ状態となる。
【０１１０】
時点ｔ１４には、時点ｔ１２と同様にして、緑色用のソースバスラインＳＬ２、ＳＬ５、・・・、ＳＬ（３ｎ−１）に映像信号ＶＩＤＥＯの電位の書き込みが行われるとともに、赤色用のソースバスラインＳＬ１、ＳＬ４、・・・、ＳＬ（３ｎ−２）にプリチャージ電位の書き込みが行われる。
【０１１１】
時点ｔ１５に制御信号ＡＳＷ２がローレベルになった後、時点ｔ１６になると、制御信号Ｔ＿ＳＭＰがローレベルにされる。これにより、スイッチＳＷ１〜ＳＷ３はオフ状態となり、全てのプリチャージ用スイッチはオフ状態となる。時点ｔ１７になると、制御信号ＡＳＷ１がハイレベルにされる。これにより、制御信号Ｕ＿ＡＳＷ１がハイレベルとなる。この時、スイッチＳＷ１はオフ状態になっているので、制御信号Ｔ＿ＡＳＷ３についてはローレベルで維持される。以上より、サンプリングスイッチＴＲＵ１、ＴＲＵ２、・・・、ＴＲＵｎがオン状態となる。その結果、赤色用のソースバスラインＳＬ１、ＳＬ４、・・・、ＳＬ（３ｎ−２）に映像信号ＶＩＤＥＯの電位の書き込みが行われる。時点ｔ１８になると、制御信号ＡＳＷ１がローレベルにされる。これにより、制御信号Ｕ＿ＡＳＷ１がローレベルとなり、サンプリングスイッチＴＲＵ１、ＴＲＵ２、・・・、ＴＲＵｎがオフ状態となる。時点ｔ１９になると、制御信号Ｔ＿ＳＭＰがハイレベルにされる。これにより、スイッチＳＷ１〜ＳＷ３はオン状態となる。
【０１１２】
時点ｔ２０から時点ｔ２９までの期間には、時点ｔ１０から時点ｔ１９までの期間と同様にして、青色用、緑色用、赤色用の順序でソースバスラインへのプリチャージ電位の書き込みと映像信号電位の書き込みとが行われる。但し、ソースバスラインに書き込まれる映像信号の極性については、時点ｔ１２から時点ｔ１８までの期間と時点ｔ２２から時点ｔ２８までの期間とで逆になる。
【０１１３】
以上のように、本変形例においても、比較的簡単な構成の回路を備えるだけで、パネル検査の際に通常時に動作するサンプリングスイッチの不良をも検出することができるという効果が得られるとともに、ソースバスラインへのプリチャージが可能となり表示品位が改善されるという効果が得られる。
【０１１４】
＜４．その他＞
上記各実施形態においては液晶パネルを例に挙げて説明したが、本発明はこれに限定されない。有機ＥＬ（Ｅｌｅｃｔｒｏ  Ｌｕｍｉｎｅｓｃｅｎｃｅ）パネルなど液晶パネル以外の表示パネルにも本発明を適用することができる。
【符号の説明】
【０１１５】
１０…画素回路部
２０…第１の分配回路
３０…第２の分配回路
３１，３５…分配部
３２，３３，３４，３６…動作制御部
４０…ソースドライバ（映像信号線駆動回路）
ＤＭＵ１〜ＤＭＵｎ，ＤＭＴ１〜ＤＭＴｎ…デマルチプレクサ
ＳＬ１〜ＳＬ（３ｎ）…ソースバスライン
ＴＲＴ１〜ＴＲＴｎ，ＴＧＴ１〜ＴＧＴｎ，ＴＢＴ１〜ＴＢＴｎ，…検査用スイッチ
ＴＲＵ１〜ＴＲＵｎ，ＴＧＵ１〜ＴＧＵｎ，ＴＢＵ１〜ＴＢＵｎ，…サンプリングスイッチ
ＡＳＷ１〜ＡＳＷ６…分配制御信号
Ｕ＿ＡＳＷ１〜Ｕ＿ＡＳＷ６…通常用分配制御信号
Ｔ＿ＡＳＷ１〜Ｔ＿ＡＳＷ６…検査用分配制御信号
Ｔ＿ＳＭＰ…切替制御信号
Ｔ＿ＶＩＤＥＯ…テスト用映像信号
【図１】
2011089762.tif 000003
【図２】
2011089762.tif 000004
【図３】
2011089762.tif 000005
【図４】
2011089762.tif 000006
【図５】
2011089762.tif 000007
【図６】
2011089762.tif 000008
【図７】
2011089762.tif 000009
【図８】
2011089762.tif 000010
【図９】
2011089762.tif 000011
【図１０】
2011089762.tif 000012
【図１１】
2011089762.tif 000013
【図１２】
2011089762.tif 000014
【図１３】
2011089762.tif 000015
【図１４】
2011089762.tif 000016
【図１５】
2011089762.tif 000017
【図１６】
2011089762.tif 000018
【図１７】
2011089762.tif 000019
【図１８】
2011089762.tif 000020
【図１９】
2011089762.tif 000021
【図２０】
2011089762.tif 000022
【図２１】
2011089762.tif 000023
【図２２】
2011089762.tif 000024
【図２３】
2011089762.tif 000025
【図２４】
2011089762.tif 000026
【図２５】
2011089762.tif 000027
【図２６】
2011089762.tif 000028
【図２７】
2011089762.tif 000029
【図２８】
2011089762.tif 000030
【図２９】
2011089762.tif 000031
【図３０】
2011089762.tif 000032
【図３１】
2011089762.tif 000033
【図３２】
2011089762.tif 000034
【図３３】
2011089762.tif 000035
【手続補正書】
【提出日】平成24年5月29日(2012.5.29)
【手続補正１】
【補正対象書類名】明細書
【補正対象項目名】０００５
【補正方法】変更
【補正の内容】
【０００５】
また、図３２に示す回路には外部から制御信号ＡＳＷ１〜３が与えられる。第１のスイッチ群９３１に含まれるスイッチがオン状態の時には、制御信号ＡＳＷ１は制御信号Ｔ＿ＡＳＷ１として第２の分配回路９２に与えられ、制御信号ＡＳＷ２は制御信号Ｔ＿ＡＳＷ２として第２の分配回路９２に与えられ、制御信号ＡＳＷ３は制御信号Ｔ＿ＡＳＷ３として第２の分配回路９２に与えられる。第２のスイッチ群９３２に含まれるスイッチがオン状態の時には、制御信号ＡＳＷ１は制御信号Ｕ＿ＡＳＷ１として第１の分配回路９１に与えられ、制御信号ＡＳＷ２は制御信号Ｕ＿ＡＳＷ２として第１の分配回路９１に与えられ、制御信号ＡＳＷ３は制御信号Ｕ＿ＡＳＷ３として第１の分配回路９１に与えられる。なお、以下においては、制御信号ＡＳＷ１〜３のことを「分配制御信号」ともいい、制御信号Ｕ＿ＡＳＷ１〜３のことを「通常用分配制御信号」ともいい、制御信号Ｔ＿ＡＳＷ１〜３のことを「検査用分配制御信号」ともいう。
【手続補正２】
【補正対象書類名】明細書
【補正対象項目名】００３２
【補正方法】変更
【補正の内容】
【００３２】
【図１】本発明の第１の実施形態に係る液晶パネルに含まれる第１の分配回路および第２の分配回路の構成を示す回路図である。
【図２】上記第１の実施形態に係る液晶パネルの要部の構成を示すブロック図である。
【図３】上記第１の実施形態において、液晶パネルにソースドライバが実装された状態を示すブロック図である。
【図４】上記第１の実施形態において、第１の分配回路の詳細な構成を示す回路図である。
【図５】上記第１の実施形態において、第２の分配回路の詳細な構成を示す回路図である。
【図６】上記第１の実施形態において、分配制御信号，切替制御信号，通常用分配制御信号，および検査用分配制御信号についての検査時および通常時における波形を示す信号波形図である。
【図７】上記第１の実施形態において、ハイレベルにされる分配制御信号と通常時に書き込みが行われるソースバスラインと検査時に書き込みが行われるソースバスラインとの対応関係を示す図である。
【図８】上記第１の実施形態において、開放不良を検出するためのパネル検査について説明するための信号波形図である。
【図９】上記第１の実施形態において、赤色表示の検査が行われるときのソースバスラインの電位の変化を示す信号波形図である。
【図１０】上記第１の実施形態において、サンプリングスイッチに開放不良がある場合の動作について説明するための図である。
【図１１】上記第１の実施形態において、緑色表示の検査が行われるときのソースバスラインの電位の変化を示す信号波形図である。
【図１２】上記第１の実施形態において、青色表示の検査が行われるときのソースバスラインの電位の変化を示す信号波形図である。
【図１３】上記第１の実施形態において、遮断不良を検出するためのパネル検査について説明するための信号波形図である。
【図１４】上記第１の実施形態において、Ｒ／Ｂ書込検査が行われるときのソースバスラインの電位の変化を示す信号波形図である。
【図１５】上記第１の実施形態において、Ｒ／Ｇ書込検査が行われるときのソースバスラインの電位の変化を示す信号波形図である。
【図１６】上記第１の実施形態において、Ｇ／Ｂ書込検査が行われるときのソースバスラインの電位の変化を示す信号波形図である。
【図１７】上記第１の実施形態の変形例における構成を示す回路図である。
【図１８】上記第１の実施形態の別の変形例における構成を示す回路図である。
【図１９】本発明の第２の実施形態に係る液晶パネルに含まれる第１の分配回路および第２の分配回路の構成を示す回路図である。
【図２０】上記第２の実施形態において、ハイレベルにされる分配制御信号と通常時に書き込みが行われるソースバスラインと検査時に書き込みが行われるソースバスラインとの対応関係を示す図である。
【図２１】上記第２の実施形態において、開放不良を検出するためのパネル検査について説明するための信号波形図である。
【図２２】上記第２の実施形態において、赤色表示の検査が行われるときのソースバスラインの電位の変化を示す信号波形図である。
【図２３】上記第２の実施形態において、緑色表示の検査が行われるときのソースバスラインの電位の変化を示す信号波形図である。
【図２４】上記第２の実施形態において、青色表示の検査が行われるときのソースバスラインの電位の変化を示す信号波形図である。
【図２５】上記第２の実施形態において、遮断不良を検出するためのパネル検査について説明するための信号波形図である。
【図２６】上記第２の実施形態において、Ｒ／Ｂ書込検査が行われるときのソースバスラインの電位の変化を示す信号波形図である。
【図２７】上記第２の実施形態において、Ｒ／Ｇ書込検査が行われるときのソースバスラインの電位の変化を示す信号波形図である。
【図２８】上記第２の実施形態において、Ｇ／Ｂ書込検査が行われるときのソースバスラインの電位の変化を示す信号波形図である。
【図２９】本発明の第３の実施形態における液晶パネルの駆動方法を説明するための信号波形図である。
【図３０】上記第３の実施形態の変形例における液晶パネルの駆動方法を説明するための信号波形図である。
【図３１】検査用回路を備えた従来の液晶パネルの要部の構成を示すブロック図である。
【図３２】従来例において、第１の分配回路，第２の分配回路，および切替回路の構成を示す回路図である。
【図３３】従来例において、ハイレベルにされる分配制御信号と通常時に書き込みが行われるソースバスラインと検査時に書き込みが行われるソースバスラインとの対応関係を示す図である。
【手続補正３】
【補正対象書類名】明細書
【補正対象項目名】００４６
【補正方法】変更
【補正の内容】
【００４６】
図６は、分配制御信号，切替制御信号，通常用分配制御信号，および検査用分配制御信号についての検査時および通常時における波形を示す信号波形図である。図６に示すように、制御信号Ｔ＿ＳＭＰは、検査時にはハイレベルで維持され、通常時にはローレベルで維持される。このため、動作制御部３２内のスイッチＳＷ１〜ＳＷ３は、検査時にはオン状態で維持され、通常時にはオフ状態で維持される。これにより、検査時においては、制御信号ＡＳＷ１がハイレベルとなっている期間には制御信号Ｕ＿ＡＳＷ１，Ｔ＿ＡＳＷ３がハイレベルとなり、制御信号ＡＳＷ２がハイレベルとなっている期間には制御信号Ｕ＿ＡＳＷ２，Ｔ＿ＡＳＷ１がハイレベルとなり、制御信号ＡＳＷ３がハイレベルとなっている期間には制御信号Ｕ＿ＡＳＷ３，Ｔ＿ＡＳＷ２がハイレベルとなる。一方、通常時においては、制御信号ＡＳＷ１がハイレベルとなっている期間には制御信号Ｕ＿ＡＳＷ１のみがハイレベルとなり、制御信号ＡＳＷ２がハイレベルとなっている期間には制御信号Ｕ＿ＡＳＷ２のみがハイレベルとなり、制御信号ＡＳＷ３がハイレベルとなっている期間には制御信号Ｕ＿ＡＳＷ３のみがハイレベルとなる。
【国際調査報告】
2011089762.tif 000036
2011089762.tif 000037
2011089762.tif 000038
2011089762.tif 000039